(57)【特許請求の範囲】
【請求項１】
所定の帯域又は所定の波長又は所定の心線又は所定のコア又は所定のモード又は所定の符号又は所定の周波数又は所定の帯域設定又は所定の波長設定又は所定の心線設定又は所定のコア設定又は所定のモード設定又は所定の符号設定又は所定の周波数設定又はそれらの少なくとも一部の組み合わせで、所定の割当対象に対する割当を維持して継続する、通信装置に備わる実施部と、
各割当対象のサービスポリシーに応じた判定アルゴリズムを備え、前記実施部における割当の情報を検出し、前記判定アルゴリズムに従い、検出結果に応じて前記実施部に指示を行う、前記実施部に接続されている指示部と、
を備える通信システム。
【請求項２】
前記実施部は、前記指示部からの指示がない場合、所定の帯域又は所定の波長又は所定の心線又は所定のコア又は所定のモード又は所定の符号又は所定の周波数又は所定の帯域設定又は所定の波長設定又は所定の心線設定又は所定のコア設定又は所定のモード設定又は所定の符号設定又は所定の周波数設定又はそれらの少なくとも一部の組み合わせで維持して継続する、
請求項１に記載の通信システム。
【請求項３】
前記指示部は、所定期間の割当の情報が所望の割当よりも小さい割当対象に対する優先割当、或いは、所定期間の割当の情報が所望の割当よりも大きい割当対象に対する割当抑止の少なくともいずれかの指示を行う、
請求項１又は２に記載の通信システム。
【請求項４】
前記指示部は、所定期間の割当の情報が所望の割当より小さい割当対象に対して割当を増加させるか、或いは、所定期間の割当の情報が所望の割当より大きい割当対象に対して割当を減少させるかの少なくともいずれかの割当とする指示を行う、
請求項１又は２に記載の通信システム。
【請求項５】
前記指示部は、少なくともいずれかの割当対象に対し、割当の情報が所望の割当に近づくような所定の帯域又は波長又は心線又はコア又はモード又はそれらの少なくともいずれかを設定する指示を行う、
請求項１又は２に記載の通信システム。
【請求項６】
前記指示部は、所定期間の割当の情報が小さい割当対象の割当順を割当が大きい順番、或いは、所定期間の割当の情報が大きい割当対象の割当順を割当が小さい順番の少なくともいずれかにする指示を行う、
請求項１又は２に記載の通信システム。
【請求項７】
前記指示部は、所定期間の割当の情報が小さい割当対象の割当が大きくなる、或いは、所定期間の割当の情報が大きい割当対象の割当が小さくなるかの少なくともいずれかの割当又は設定に切替する指示を行う、
請求項１又は２に記載の通信システム。
【請求項８】
前記割当の情報は、実施部の割当、実施部の割当結果、実施部の割当履歴、実施部の割当に伴うデータ導通、導通履歴、要求、又は要求履歴の少なくともいずれかを含む、
請求項１から７のいずれかに記載の通信システム。
【請求項９】
所定の帯域又は所定の波長又は所定の心線又は所定のコア又は所定のモード又は所定の符号又は所定の周波数又は所定の帯域設定又は所定の波長設定又は所定の心線設定又は所定のコア設定又は所定のモード設定又は所定の符号設定又は所定の周波数設定又はそれらの少なくとも一部の組合わせで、所定の対象に対する割当を維持して継続する実施部を備える通信装置の動作方法であって、
前記実施部に接続されている指示部が、前記実施部における割当の情報を検出し、各割当対象のサービスポリシーに応じた判定アルゴリズムに従い、検出結果に応じて前記実施部に指示を行う、
通信装置の動作方法。
【請求項１０】
コンピュータを請求項１から８のいずれかに記載の実施部及び指示部として機能させるためのプログラム。
【発明の詳細な説明】
【技術分野】
【０００１】
本発明は、通信装置及びその動作方法並びにプログラムに関する。
【背景技術】
【０００２】
ＰＯＮ（Ｐａｓｓｉｖｅ  Ｏｐｔｉｃａｌ  Ｎｅｔｗｏｒｋ）システムは、顧客宅内に設置するＯＮＵ  （Ｏｐｔｉｃａｌ  Ｎｅｔｗｏｒｋ  Ｕｎｉｔ）と、局舎に設置するＯＬＴ（Ｏｐｔｉｃａｌ  Ｌｉｎｅ  Ｔｅｒｍｉｎａｌ）と、複数ＯＮＵとＯＬＴを接続する光ファイバ網と、を備える。ＯＬＴはスイッチに比べ生産台数が少ない。このため、ＯＬＴのＭＡＣチップは、スイッチチップと比べて、汎用ではなく、供給ベンダが限られている。
【先行技術文献】
【非特許文献】
【０００３】
【非特許文献１】ＩＴＵ−Ｔ勧告Ｇ．９８９シリーズ
【発明の概要】
【発明が解決しようとする課題】
【０００４】
ＯＬＴ、特にＯＬＴのＭＡＣ（Ｍｅｄｉａ  Ａｃｃｅｓｓ  Ｃｏｎｔｒｏｌ）チップは多様な機能を備えるため、ＭＡＣチップの製造を容易にすること又は小規模な汎用チップで代用することが困難であった。更に、割当等のＭＡＣチップの機能を変更するためには、ＭＡＣチップ毎のソフトウェアをそれぞれ変更する必要があった。
【０００５】
本発明は、ＯＬＴについて、ＭＡＣチップの機能を限定することで、製造又は小規模な汎用チップでの代用を容易しつつ、割当の自由度を担保することを目的とする。
【課題を解決するための手段】
【０００６】
この課題を解決するために、ＯＬＴのＭＡＣチップの機能、特に割当に係る機能を分割して、一部を外に切り出すこととした。具体的には、割当処理を単純に実施する実施部、実施部の割当又は割当結果又は割当履歴又は割当に伴うデータ導通又は導通履歴又は要求又は要求履歴の少なくともいずれかを検出し、検出結果と通信事業者やサービスによって異なるサービスポリシーに応じた所望の割当の差異に応じて、割当を変更するように実施部に指示する指示部とに割当機能を分割することにした。
【０００７】
具体的には、本発明に係る通信システムは、
同一宛先に所定の帯域又は帯域設定で割当を継続する実施部、
実施部の割当又は割当結果又は割当履歴又は割当に伴うデータ導通又は導通履歴又は要求又は要求履歴を検出し、検出結果と所望の割当との差異に応じて実施部に割当対象の少なくとも一部に対する割当抑止又は優先割当を指示する指示部と、
からなるＤＢＡ機能を備える。
【０００８】
具体的には、本発明に係る通信システムは、
所定の帯域又は所定の波長又は所定の心線又は所定のコア又は所定のモード又は所定の符号又は所定の周波数又は所定の帯域設定又は所定の波長設定又は所定の心線設定又は所定のコア設定又は所定のモード設定又は所定の符号設定又は所定の周波数設定又はそれらの少なくとも一部の組合わせで、所定の割当対象に対する割当を維持して継続する、通信装置に備わる実施部と、
各割当対象のサービスポリシーに応じた判定アルゴリズムを備え、前記実施部における割当の情報を検出し、前記判定アルゴリズムに従い、検出結果に応じて前記実施部に指示を行う、前記実施部に接続されている指示部と、
を備える。
本開示の前記実施部は、前記指示部からの指示がない場合、所定の帯域又は所定の波長又は所定の心線又は所定のコア又は所定のモード又は所定の符号又は所定の周波数又は所定の帯域設定又は所定の波長設定又は所定の心線設定又は所定のコア設定又は所定のモード設定又は所定の符号設定又は所定の周波数設定又はそれらの少なくとも一部の組み合わせで維持して継続してもよい。
【０００９】
前記指示部は、所定期間の割当の情報が前記所望の割当よりも小さい割当対象に対する優先割当、或いは、所定期間の割当の情報が前記所望の割当よりも大きい割当対象に対する割当抑止の少なくともいずれかの指示を行ってもよい。
【００１０】
前記指示部は、所定期間の割当の情報が前記所望の割当より小さい割当対象に対して割当を増加させるか、或いは、所定期間の割当の情報が前記所望の割当より大きい割当対象に対して割当を減少させるかの少なくともいずれかの割当とする指示を行ってもよい。
【００１１】
前記指示部は、少なくともいずれかの割当対象に対し、割当の情報が所望の割当に近づくような所定の帯域又は波長又は心線又はコア又はモード又はそれらの少なくともいずれかを設定する指示を行ってもよい。
【００１２】
前記指示部は、所定期間の割当の情報が小さい割当対象の割当順を割当が大きい順番、或いは、所定期間の割当の情報が大きい割当対象の割当順を割当が小さい順番の少なくともいずれかにする指示を行ってもよい。
【００１３】
前記指示部は、所定期間の割当の情報が小さい割当対象の割当が大きくなる、或いは、所定期間の割当の情報が大きい割当対象の割当が小さくなるかの少なくともいずれかの割当又は設定に切替する指示を行ってもよい。
【００１４】
前記割当の情報は、実施部の割当、実施部の割当結果、実施部の割当履歴、実施部の割当に伴うデータ導通、導通履歴、要求、又は要求履歴の少なくともいずれかを含んでもよい。
【００１５】
具体的には、本発明に係る通信装置の動作方法は、
所定の帯域又は所定の波長又は所定の心線又は所定のコア又は所定のモード又は所定の符号又は所定の周波数又は所定の帯域設定又は所定の波長設定又は所定の心線設定又は所定のコア設定又は所定のモード設定又は所定の符号設定又は所定の周波数設定又はそれらの少なくとも一部の組合わせで、所定の対象に対する割当を維持して継続する実施部を備える通信装置の動作方法であって、
前記実施部に接続されている指示部が、前記実施部における割当の情報を検出し、各割当対象のサービスポリシーに応じた判定アルゴリズムに従い、検出結果に応じて前記実施部に指示を行う。
【００１６】
具体的には、本発明に係るプログラムは、コンピュータ等の演算処理を通信装置に備わる実施部及び指示部として機能させるためのプログラムである。
【発明の効果】
【００１７】
本発明によれば、ＭＡＣチップの機能を限定することで、製造又は小規模な汎用チップでの代用を容易しつつ、割当の自由度を担保することができる。
【図面の簡単な説明】
【００１８】
【図１】ＯＬＴに備わる主要な８機能の一例を示す。
【図２】ＰＯＮアクセス制御機能とその周辺に備わる機能の一例を示す。
【図３】第１の機能配備例を示す。
【図４】第２の機能配備例を示す。
【図５】ＯＬＴに備わるハードウェア構成の一例を示す。
【図６】通信システムの構成の一例を示す。
【発明を実施するための形態】
【００１９】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２０】
本実施形態では、ＴＷＤＭ−ＰＯＮ（Ｔｉｍｅ  ａｎｄ  Ｗａｖｅｌｅｎｇｔｈ  Ｄｉｖｉｓｉｏｎ  Ｍｕｌｔｉｐｌｅｘｉｎｇ  Ｐａｓｓｉｖｅ  Ｏｐｔｉｃａｌ  Ｎｅｔｗｏｒｋ）システムのようなＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）勧告準拠のＰＯＮのＯＬＴ（Ｏｐｔｉｃａｌ  Ｌｉｎｅ  Ｔｅｒｍｉｎａｌ）を前提に例示する。ここでＯＬＴとしているが、ＯＮＵであってもよく、ＴＷＤＭ−ＰＯＮ以外のＩＴＵ−Ｔ勧告準拠のＰＯＮのＯＬＴ又はＯＮＵのいずれかであってもよいし、ＧＥ−ＰＯＮ、１０ＧＥ−ＰＯＮ等のＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）規格準拠のＰＯＮであってもよく、ＴＣ（Ｔｒａｎｓｍｉｓｓｉｏｎ  Ｃｏｎｖｅｒｇｅｎｃｅ、伝送コンバージェンス）レイヤやＰＭＤ（Ｐｈｙｓｉｃａｌ  Ｍｅｄｉｕｍ  Ｄｅｐｅｎｄｅｎｔ）レイヤは対応する機能を備える層に読み替えれば同様である。
【００２１】
なお、ＴＷＤＭ−ＰＯＮは時分割多重と波長分割多重をするが、それに加えて、複数ファイバを用いて心線分割多重してもよいし、マルチコアファイバ等を用いてコア分割多重（空間分割多重）していてもよいし、数モードファイバやマルチモードファイバ等を用いてモード分割多重していてもよいし、光符号や電気符号を用いて符号分割多重していてもよいし、直交周波数分割多重や周波数分割多重やその他の分割多重をしていてもよいし、時分割多重や波長分割多重以外の分割多重のみをしてもよい。
【００２２】
（第１の形態例）
図１に、ＯＬＴに備わる主要な機能の一例を示す。ＴＷＤＭ−ＰＯＮに用いるＯＬＴは、主に、ＰＯＮマルチキャスト機能、省電力制御機能、周波数／時刻同期機能、プロテクション機能、保守運用機能、Ｌ２（レイヤ２）主信号処理機能、ＰＯＮアクセス制御機能、ＰＯＮ主信号処理機能の８機能を備える。ＰＯＮ主信号処理機能は、ＰＭＤと情報をやりとりする。保守運用機能には、ＰＬＯＡＭ（Ｐｈｙｓｉｃａｌ  Ｌａｙｅｒ  ＯＡＭ（Ｏｐｅｒａｔｉｏｎｓ、Ａｄｍｉｎｉｓｔｒａｔｉｏｎ  ａｎｄ  Ｍａｉｎｔｅｎａｎｃｅ））処理及び低速監視のＯＭＣＩ（Ｏｐｔｉｃａｌ  Ｎｅｔｗｏｒｋ  Ｔｅｒｍｉｎａｌ  Ｍａｎａｇｅｍｅｎｔ  ａｎｄ  Ｃｏｎｔｒｏｌ  Ｉｎｔｅｒｆａｃｅ）処理が含まれる。
【００２３】
主要８機能の内、ソフトウェア化が特に望ましい領域は、基本機能、保守運用機能、ＰＯＮマルチキャスト機能のＭＬＤ（Ｍｕｌｔｉｃａｓｔ  Ｌｉｓｔｅｎｅｒ  Ｄｉｓｃｏｖｅｒｙ）プロキシ、その他の動作を判定するアルゴリズムとなる。なお、主要８機能は必要に応じて備えればよく、例えばＰＯＮ主信号処理機能、ＰＯＮアクセス制御機能、Ｌ２主信号処理機能、保守運用機能のみを備えてもよい。また、ソフトウェアスイッチの適用は想定していない前提での一例で示しているが、想定する処理能力やソフトウェアスイッチの適用を想定して適宜変更してもよい。ソフトウェア化が望ましい機能であっても、ソフトウェア化しなくてもよい。各機能の内部の構成は同様の機能を実現できれば他の構成であってもよい。
【００２４】
図２に、ＰＯＮアクセス制御機能とその周辺に備わる機能の一例を示す。ＰＯＮアクセス制御機能は、ＯＮＵへの割当波長を切り替えるＤＷＡ（Ｄｙｎａｍｉｃ  Ｗａｖｅｌｅｎｇｔｈ  Ａｓｓｉｇｎｍｅｎｔ）機能、帯域をＯＮＵに動的に割り当てるＤＢＡ（Ｄｙｎａｍｉｃ  Ｂａｎｄｗｉｄｔｈ  Ａｓａｓｉｇｎｍｅｎｔ）機能、ＯＮＵ登録／認証機能が備わる。ＤＢＡ機能とＤＷＡ機能は連携してＯＮＵの割当波長と帯域を動的に割当するＤＷＢＡ（Ｄｙｎａｍｉｃ  Ｗａｖｅｌｅｎｇｔｈ  ＡＮＤ  Ｂａｎｄｗｉｄｔｈ  Ａｓａｓｉｇｎｍｅｎｔ）であってもよい。ＰＯＮアクセス制御機能は、初期処理及びＤＢＡ及びＤＷＡやＤＷＢＡといった基本処理を実行する。心線分割多重やコア分割多重やモード分割多重や符号分割多重や直交周波数分割多重や周波数分割多重を併用する場合はＯＮＵの割当心線、コア、モード、符号、直交周波数、周波数を切替する機能も備えていてもよい。初期処理は、例えば、レンジング、認証による削除若しくは登録又は起動／停止が含まれる。ＤＢＡ及びＤＷＡやＤＷＢＡは、例えば、帯域要求受信、トラフィック測定、履歴保持、割当計算、割当処理、設定切替計算、設定切替処理、設定切替状況把握が含まれる。処理の順番は適宜入れ替わっていてもよく、主要８機能を構成する機能の構成も上記と異なっていてもよく、ＯＮＵ高速起動、ＤＢＡ周期内でのＢＷＭａｐ（Ｂａｎｄｗｉｄｔｈ  Ｍａｐ）生成／更新、無瞬断λ（波長）設定切替等が必要に応じて求められる。
【００２５】
実施形態に係るＯＬＴは、ＰＯＮアクセス制御機能に含まれる機能のうちのＤＢＡやＤＷＡやＤＷＢＡ等の割当機能の一部を指示部に分離することによって、ＯＬＴの入手性を向上する。
【００２６】
（実施形態１）
以下に説明する実施形態は、ＤＢＡ機能を備えるＯＬＴであって、当該ＯＬＴが実施部及び指示部を備える。実施部は、主に単純な処理を行う。例えば、同一宛先に所定の帯域又は所定の帯域設定で繰り返し割当を行う。指示部は、実施部の割当が通信事業者やサービスによって異なるサービスポリシーに応じた所望の状態に近づくように実施部に指示する。例えば、実施部における割当の情報を検出し、検出結果と所望の割当との差異に応じて、前記実施部における割当の割当又は割当結果又は割当履歴又は割当に伴うデータ導通又は導通履歴又は要求又は要求履歴を検出し、検出結果が所望の割当に近づくように、実施部に以下の（ａ）から（ｅ）のいずれかを指示する。
（ａ）割当対象の少なくとも一部に対する割当抑止又は優先割当（実施形態１．１）
（ｂ）帯域設定の変更（実施形態１．２）
（ｃ）割当（実施形態１．３）
（ｄ）割当の順番（実施形態１．４）
（ｅ）割当／割当設定の切替（実施形態１．５）
【００２７】
実施形態に係るＯＬＴは、実施部における割当が所望の割当に近づくように指示部が指示を行うため、実施部で少なくとも割当に関する判定アルゴリズムやソフトウェアを変更することなく、割当処理の判定アルゴリズムやポリシーを変更できる。本実施形態は、変更する必要がない限り時間が経過して、宛先毎に同一の所定の帯域又は帯域設定で割当が継続される。「継続」については、変更する指示が来ない限り継続する。なお、継続する最少時間としては、指示に実施部が応答に要する時間と、指示部での指示作成に要する時間と、指示部と実施部の通信時間の総和以上となる。指示部からの指示と実施部の応答は同一または整数倍又は整数分の１に比例する関係の周期且つ同期することが望ましいが、指数平均等の履歴を少なくとも一部継続し検出する処理を用いれば周期同士が倍数関係等になくとも非同期であってもよい。周期はＤＢＡやＤＷＡやＤＷＢＡ等の割当に関する周期であってもよく、割当が少なくとも要求有又は要求有と予測される割当対象への割当が一巡する周期であってもよい。
【００２８】
実施部における割当の情報は、実施部における割当又は割当結果又は割当履歴又は割当に伴うデータ導通又は導通履歴又は要求又は要求履歴の少なくともいずれかを含む。「要求」は、ＯＮＵの申告で上り帯域／送信時間を要求するものまたはそれを予測したものをいう。要求、要求履歴は、一部又は全てを実施部で処理や保持してもよいし、一部又は全てを指示部で処理や保持してもよいし、一部又は全てを実施部と指示部で独立して処理や保持してもよいし、一部又は全てを実施部と指示部で一方で処理や保持して他方に渡してもよいし、一部又は全てを実施部と指示部以外で処理や保持して実施部又は指示部の少なくとも一方に渡してもよい。要求は、要求自体を用いてもよいし、割当又は割当結果又は割当履歴又はデータ導通又は導通履歴又は要求又要求履歴等から予測した予測を用いてもよいし、両者を併用してもよい。要求の予測は少なくともその一部を実施部又は実施部又はそれ以外で実施してもよいし、要求の実施個所で、割当又は割当結果又は割当履歴又はデータ導通又は導通履歴又は要求又要求履歴等の予測に必要な情報の入力を受けるのが望ましい。データ導通は、実施部、指示部、それ以外の箇所例えば主信号が導通する後述のＳＷ１２、ＳＷ１３、プロキシ部１５、主信号あるいは制御信号のネットワークの上位側の装置のいずれで検出してもよい。導通量の処理や、データ導通の履歴である導通履歴は、実施部、指示部、それ以外の箇所例えば主信号が導通する後述のＳＷ１２、ＳＷ１３、プロキシ部１５、上位側の装置やオペレーションシステムやコントローラ等の導通量の検出結果を処理や保持する箇所で処理や保持してもよい。オペレーションシステムやコントローラ等で実施の場合、例えばＳＮＭＰ（Ｓｉｍｐｌｅ  Ｎｅｔｗｏｒｋ  Ｍａｎａｇｅｍｅｎｔ  Ｐｒｏｔｏｃｏｌ）やＮＥＴＣＯＮＦ（Ｎｅｔｗｏｒｋ  Ｃｏｎｆｉｇｕｒａｔｉｏｎ  Ｐｒｏｔｏｃｏｌ）やオープンフロー等でオペレーションシステムやコントローラ等に入力されるトラフィック情報を処理や保持すればよい。導通又は導通履歴又は割当又は割当結果又は割当履歴も要求や要求履歴同様に、その一部又は全てを実施部や指示部やそれ以外のいずれか又はその全てで用いたり、相互に渡してもよい。
【００２９】
実施部で受信した要求、実施部で受信した要求に基づき実施部で予測した要求、予測受信に基づき予測することが主と考えられるが、以下の構成であってもよい。
・指示部で要求を終端して利用する構成。実施部は要求によらずに割当を行い、指示部でのみ要求を利用する。
・指示部で要求を終端し、指示部での利用有又は無のいずれかで、要求又は要求予測を実施部に転送する構成。
・実施部と指示部の両方で要求を終端してそれぞれ独立に利用する構成。
・実施部で要求を終端して、実施部で利用する構成。
・実施部で要求を終端して、実施部での利用有又は無のいずれかで、要求又は要求予測を指示部に転送する構成。
・指示部で要求を終端して要求履歴も指示部で保持する構成。
・指示部で要求を終端して、指示部での利用有又は無のいずれかで、要求履歴は実施部で保持する構成。
・実施部と指示部の両方で要求を終端して、両方で要求履歴を保持する構成。
・実施部で要求を終端して、実施部で要求履歴を保持する構成。
・実施部で要求を終端して、要求履歴を指示部に保持する構成。
【００３０】
（実施形態１．１）
本実施形態では、ＴＷＤＭ−ＰＯＮの１波長の中の時分割多重での帯域割当を中心に例示するが、時分割多重又は波長分割多重又は心線分割多重又はコア分割多重又はモード分割多重又は符号分割多重又は（直交）周波数分割多重等の他の分割多重の少なくとも一つの組み合わせで割当してもよい。この場合、分割多重する波長又は心線又はコア又はモード又は符号又は（直交）周波数等の他の分割多重の和を割当すれば同様である。例えば、１０Ｇｂｉｔ／ｓ／λの４波長であれば４０Ｇｂｉｔ／ｓを、１０Ｇｂｉｔ／ｓと２０Ｇｂｉｔ／ｓの心線が１心線ずつであれば３０Ｇｂｉｔ／ｓを、１０Ｇｂｉｔ／ｓ／λの４波長が２心線であれば８０Ｇｂｉｔ／ｓを割当し、指示は割当されるものの組み合わせですればよい。ここで、割当は、割当される対象に応じて、割当帯域又は波長又は心線又はコア又はモード又は符号又は（直交）周波数のいずれか又は割当帯域又は波長又は心線又はコア又はモード又は符号又は（直交）周波数毎の割当帯域のいずれか又はそれらの総和の割当帯域のいずれかであってもよい。
【００３１】
本実施形態の実施部は、同一宛先に所定の帯域又は波長又は心線又はコア又はモード又は符号又は（直交）周波数又はそれらの少なくともいずれかの組み合わせで割当を継続する。本実施形態の指示部は、実施部の割当又は割当結果又は割当履歴又は割当に伴うデータ導通又は導通履歴又は要求又は要求履歴を検出し、所定の期間の検出結果と所望の割当との差異に応じて割当対象の少なくとも一部に対する割当抑止又は優先割当を実施部に指示する。
【００３２】
所定の帯域は、平均的には、割当対象（例えば、ＯＮＵ又はＯＮＵのキュー又はＯＮＵのクラスバッファ又はＡｌｌｏｃ−ＩＤ（Ａｌｌｏｃａｔｉｏｎ  Ｉｄｅｎｔｉｆｉｅｒ）又はＴ−ＣＯＮＴ（Ｔｒａｎｓｍｉｓｓｉｏｎ  Ｃｏｎｔａｉｎｅｒ）又はＬＬＩＤ（Ｌｏｇｉｃａｌ  Ｌｉｎｋ  ＩＤ（ＩＤｅｎｔｉｆｉｅｒ））等）毎の固定帯域設定があればそれを下限として、最大帯域設定があればそれ又は複数割当対象で利用可能な総帯域があればそれ又は両者があればそれらの下限を上限とすることが望ましい。
【００３３】
所定の帯域は、単一または複数のＢＷＭａｐの形態、Ｔ−ＣＯＮＴやＡｌｌｏｃ−ＩＤやＬＬＩＤ等の割当単位毎の割当時間、開始時間と割当時間の組み合わせ、Ｔ−ＣＯＮＴやＡｌｌｏｃ−ＩＤやＬＬＩＤ等の割当単位毎の割当時間と割当順番の組み合わせでの帯域であってもよい。
【００３４】
所定期間は、指示部の指示を受けて実施部が所定の帯域を変更に要する時間よりも長いことが望ましい。例えば数〜十数倍であり、複数回の変更に要する時間である。また、ユーザが所望の割当からの差異を検知しない程度の時間であることが望ましい。例えば、帯域を計測する時間単位、例えば１秒以下であることが望ましい。
【００３５】
実施部の割当又は割当結果は、実施部からの申告又はいずれかの箇所での測定又はオペレーションシステム等の制御側の上位システムに申告するための保持情報又は過去の指示の履歴をＯＡＭやバックボードや内部配線や主信号の配線や専用の配線やオペレーションシステムやコントローラや制御部等の経路を経由して入力又は指示部で保持する指示の履歴から入力する。履歴は指示部以外で積算してもよい。
【００３６】
所定期間の割当履歴は、例えば、指数平均、移動平均、所定の間隔で履歴をリセットする形の平均、及びその他の統計処理をした履歴である。
【００３７】
割当に伴うデータ導通又は導通履歴は、実施部からの申告又は主信号の経路等のいずれかの箇所での測定又は上位システムに申告するための保持情報を内部配線やバックボードやＯＡＭや主信号線や専用の配線やオペレーションシステムやコントローラや制御部等の経路を経由して入力する。履歴は指示部以外で積算してもよい。
【００３８】
要求又は要求履歴は、ＯＮＵからの申告又は申告の複写を指示部で直接終端して入力又はいずれかの箇所で終端して内部配線やバックボードやＯＡＭや主信号線や専用の配線やオペレーションシステムやコントローラや制御部等の経路を経由して入力又は割当帯域の利用（割当の未使用分があれば利用分が要求、未使用割当がなければ（全利用ならば）割当以上の要求）を実施部からの申告又はいずれかの箇所での測定又は上位システムに申告するための保持情報又は過去の指示の履歴を内部配線やバックボードやＯＡＭや主信号線や専用の配線やオペレーションシステムやコントローラや制御部等の経路を経由して入力又は指示部で保持する指示の履歴から入力する。履歴は指示部以外で積算してもよい。
【００３９】
要求又は要求履歴は、入力した割当又は割当履歴又はデータ導通又は導通履歴又は割当結果や要求又は要求履歴とから将来の要求又は本来割当するべきであったが割当してない帯域を予測してもよい。予測は、一次関数や２次関数や指数平均や移動平均等の統計処理により予測してもよいし、過去の要求や割当利用の結果やサーバとの距離等に応じて設定したＲＴＴ（Ｒｏｕｎｄ  Ｔｒｉｐ  Ｔｉｍｅ）等に基づくＴＣＰ（Ｔｒａｎｓｍｉｓｓｉｏｎ  Ｃｏｎｔｒｏｌ  Ｐｒｏｔｏｃｏｌ）等の挙動を基に予測してもよいし、未使用割当がなければ保証帯域設定と予測してもよいし、未使用割当がなければ保証帯域設定が非零又は保証帯域設定から固定帯域設定を減じた値が非零で且つ未使用割当がない又は保証帯域設定を超過して要求のある割当対象で非保証帯域を保証帯域設定又は保証帯域設定から固定帯域設定を減じた値に応じて按分した帯域と予測してもよいし、未使用割当がなければ未使用割当がない又は保証帯域設定を超過して要求のある割当対象でベストエフォート帯域を按分した帯域と予測してもよい。また、複数の予測方法を組み合わせて予測してもよい。
【００４０】
所望の割当は、要求のある割当対象に、その要求又は要求の予測値又は要求又は要求の予測値にそこからのずれを検出するための帯域を加えた帯域を上限として、所定の比率に応じた帯域でよい。所定の比率は例えば、保証帯域設定又は保証帯域設定から固定帯域設定を減じた値の比率である。所定の帯域は波長毎又は符号毎又はキャリア周波数毎又は心線毎又はコア毎又はモード毎又は符号毎又は（直交）周波数毎又はそれらの少なくとも一部の組み合わせや、それらに対応するＴＲｘ（Ｔｒａｎｓｍｉｔｔｅｒ  ａｎｄ  Ｒｅｃｅｉｖｅｒ）やＴｘ（Ｔｒａｎｓｍｉｔｔｅｒ）やＲｘ（Ｒｅｃｅｉｖｅｒ）単位で設定してもよいし、複数の波長又は符号又はキャリア周波数又は心線又はコア毎又はモード毎又は符号毎又は（直交）周波数毎又はそれらの少なくとも一部の組み合わせ等のＴＲｘやＴｘやＲｘを束ねたＯＳＵ単位やＯＳＵ中のＳＷ（Ｓｗｉｔｃｈ）単位で設定してもよいし、複数の波長又は符号又はキャリア周波数又は心線又はコア毎又はモード毎又は符号毎又は（直交）周波数毎又はそれらの少なくとも一部の組み合わせ等のＴＲｘやＴｘやＲｘ又はＯＳＵを束ねたＳＷ単位で設定してもよいし、上位側の装置の帯域を共用する割当対象単位で設定してもよい。所望の割当は、割当単位毎の最大帯域設定を上限とすることが望ましく、ＴＲｘやＴｘやＲｘやそれらを束ねたものとしての総帯域設定があればそれを上限とすることが望ましい。
【００４１】
所定期間の割当の所望の割当への近づけ方は任意であり、以下が例示できる。
実施部はあらかじめ定められた設定又は帯域で割当を継続する。指示部は、実施部に対して割当が所望よりも超過する割当対象に対して割当抑止又は優先割当停止又は割当抑止も優先割当も無、不足する割当対象に対して優先割当又は割当抑止停止又は割当抑止も優先割当も無の少なくともいずれかを指示する。ここで優先割当や割当抑止や優先割当停止や割当抑止停止無との指示は指示前が逆の状態の場合に行うか、超過であれば不足側でし指示、不足であれば超過側で指示することで当該側は指示しなくともよい場合等である。割当抑止と優先割当の帯域は、指示部から明示的に指示してもよいし、所定の粒度でその粒度の幾つ分が指示してもよいし、指示部は割当抑止のみ、優先割当のみ、割当抑止と優先割当のみ、割当抑止と優先割当と割当抑止も優先割当もしないこと、割当抑止停止と優先割当停止のみ等を指示してもよい。また、抑止は当該割当対象の割当を完全抑止して零としてもよく、優先は割当可能な全帯域を当該割当対象に割当してもよい。実施部への指示は、割当対象がＯＮＵ１〜３とすれば、例えば、割当抑止対象のみに印、例えば「１」を付与し、割当抑止対象外には印なし、例えば「０」のままとし、ＯＮＵ１のみ抑止であれば、（ＯＮＵ１、ＯＮＵ２、ＯＮＵ３）＝（１、０、０）に対応して指示する。優先割当対象のみに印、例えば「１」を付与し、割当抑止対象外には印なし、例えば「０」のままとし、ＯＮＵ１のみ抑止であれば、（ＯＮＵ１、ＯＮＵ２、ＯＮＵ３）＝（１、０、０）に対応して指示する。優先割当と割当抑止の対象にのみに印、例えばそれぞれ「１」「２」を付与し、割当抑止対象外には印なし、例えば「０」のままとし、ＯＮＵ１とＯＮＵ２がそれぞれ優先と抑止であれば、（ＯＮＵ１、ＯＮＵ２、ＯＮＵ３）＝（１、２、０）に対応して指示する。優先又は抑止対象のＯＮＵ番号で指示してもよい。また、優先又は抑止のみではなく、優先又は抑止する容量自体を又は帯域又は設定帯域を列挙してもよい。例えばＯＮＵ１が優先２０Ｍｂｉｔ／ｓ相当、ＯＮＵ２が抑止１０Ｍｂｉｔ／ｓ相当として、（ＯＮＵ１、ＯＮＵ２、ＯＮＵ３）＝（２０、−１０、０）に対応して指示してもよい。
【００４２】
柔軟な割当の例としては、実施部の割当比がＯＮＵ１〜３均等固定であり、所望の割当比が１：２：３である場合、例えば、指示部はそのＯＮＵの比をＯＮＵの比の総和で除した期間の比のみ完全優先して、他の期間は完全抑止する。完全優先の期間の比をＯＮＵ１、２、３でそれぞれ１／６、２／６、３／６となるように完全優先と完全抑止を組み合わせることで１：２：３の割当比とできる。
【００４３】
実施部に設定又は指示部から指示する優先割当と割当抑止の値の例を示す。
・要求有又は要求有との予測且つ所望の割当から所定期間の割当履歴が低い割当対象にその差分が解消するように単一または複数の所定期間優先割当を指示する。
・要求有又は要求有と予測且つ所望の割当から所定期間の割当履歴が低い割当対象にその差分が解消するように単一または複数の所定期間優先割当を指示する。
・要求有又は要求有との予測且つ所望の割当から所定期間の割当履歴が高い又は低い割当対象にその差分が解消するように単数または複数の所定期間保証帯域設定となるように優先割当又は割当抑止する。
・要求有又は要求有との予測且つ所望の割当から所定期間の割当履歴が高い又は低い割当対象にその差分が解消するように単数または複数の所定期間の低い割当対象に当該割当対象の保証帯域設定に非保証割当帯域又はベストエフォート帯域又はその予測値を当該割当対象に応じて按分した帯域を加えた値とする。
・要求有又は要求有との予測且つ所望の割当から所定期間の割当履歴が高い割当対象にその差分が解消するように単一または複数の所定期間を固定帯域設定を下限として割当抑止する。
・要求有又は要求有と予測且つ所望の割当から所定期間の割当履歴が高い割当対象にその差分を解消するように単一または複数の所定期間割当抑止する。
・要求有又は要求有との予測且つ所望の割当から所定期間の割当履歴が高い又は低い割当対象に当該割当対象の保証帯域設定又は固定帯域設定となるように優先割当又は割当抑止する。
・要求有又は要求有との予測且つ所望の割当から所定期間の割当履歴が高い又は低い割当対象に当該割当対象の保証帯域設定に非保証割当帯域又はベストエフォート帯域又はその予測値を当該割当対象に応じて按分した帯域よりも少ない帯域に優先割当又は割当抑止とする。
・要求無又は要求無との予測の割当対象に当該割当対象の保証帯域設定又は固定帯域設定となるように優先割当又は割当抑止する。
・割当抑止又は優先割当は、割当自体への指示で例示したが、要求を加減したり、所定の比率で乗除したり、実施部が履歴を保持する場合はその履歴を加減乗除する。
【００４４】
指示部から実施部への伝達は、所定のビット列等の識別子を付与して他の情報と区別がつくようにして伝達してもよいし、Ｅｍｂｅｄｄｅｄ  ＯＡＭの形で伝達してもよいし、ＯＡＭフレームや、ＭＰＣＰ（Ｍｕｌｔｉ  Ｐｏｉｎｔ  Ｃｏｎｔｒｏｌ  Ｐｒｏｔｏｃｏｌ）フレームや、所定のＶＩＤ（ＶＬＡＮ（Ｖｉｒｔｕａｌ  Ｌｏｃａｌ  Ａｒｅａ  Ｎｅｔｗｏｒｋ）  Ｉｄｅｎｔｉｆｉｅｒ）やＭＡＣアドレスやＴＯＳ／ＣＯＳ（Ｔｙｐｅ  ｏｆ  Ｓｅｒｖｉｃｅ／Ｃｌａｓｓ  ｏｆ  Ｓｅｒｖｉｃｅ）やそれらの組み合わせやＶＰＩ（Ｖｉｒｔｕａｌ  Ｐａｔｈ  ＩｄｅｎｔｉｆｉｃａｔｉｏｎやＶＣＩ（Ｖｉｒｔｕａｌ  Ｃｈａｎｎｅｌ  Ｉｄｅｎｔｉｆｉｃａｔｉｏｎ）で識別できるようにしたフレームやセルにカプセル化してやり取りしてもよい。指示部は処理部が識別できるように識別子の付与やカプセル化や所定の通信路で通信する機能を備え、処理部は識別できるように識別子の識別やデカプセル化や所定の通信路で通信を受ける機能を備える。処理部から指示部への入出力も同様であり、ＯＮＵからの申告を指示部が直接終端する場合以外は、受信できるように処理して指示部に入力する機能を申告がやり取りされる経路等上に備える。
【００４５】
（実施形態１．２）
本実施形態の実施部は、同一宛先に所定の帯域又は波長又は心線又はコア又はモード又は符号又は（直交）周波数又はそれらの少なくともいずれかの組み合わせの設定で割当を継続する。本実施形態の指示部は、所定の期間の検出結果と所望の割当との差異に応じて実施部に帯域設定の変更を実施部に指示する。
【００４６】
所定期間の割当の所望の割当への近づけ方は任意であり、以下が例示できる。
実施部はあらかじめ定められた設定で割当を継続する。指示部は、実施部に対して割当が所望よりも超過する割当対象に対して設定値を減少し、不足する割当対象に対して設定値を増加する指示をする。設定値は、指示部から明示的に指示してもよいし、所定の粒度でその粒度の幾つ分等で指示してもよいし、指示部は設定値増減と初期設定に戻すことを指示してもよい。実施部への指示は、割当対象がＯＮＵ１〜３、固定帯域、保証帯域、最大帯域の各設定値Ｐ＿ＦＸＢｉ、Ｐ＿ＧＵＢｉ、Ｐ＿ＭＡＢｉ（ｉ＝１〜３）等の一部或いは全ての具体的な値に対応する値を指示してもよいし、該当する設定値の増減値を指示してもよいし、それ以外の設定値に関して指示してもよい。
【００４７】
柔軟な割当の例としては、所定の期間の使用帯域積が上限の設定のある新サービスを既存の装置で提供することが、指示部で上限に達したら設定値を変更するように実施部にて指示することで実施部を変更することなく、実現できる。
【００４８】
実施部に設定又は指示部から指示する設定変更の値の例を示す。
・要求有又は要求有との予測且つ所望の割当から所定期間の割当履歴が低い割当対象にその差分を単一または複数の所定期間で除した帯域を最大帯域設定を上限として加算した帯域設定とする。
・要求有又は要求有と予測且つ所望の割当から所定期間の割当履歴が低い割当対象にその差分を単一または複数の所定期間で除した帯域を加算した帯域設定とする。
・要求有又は要求有との予測且つ所望の割当から所定期間の割当履歴が低い割当対象に当該割当対象の保証帯域設定とする。
・要求有又は要求有との予測且つ所望の割当から所定期間の割当履歴が低い割当対象に当該割当対象の保証帯域設定に非保証割当帯域又はベストエフォート帯域又はその予測値を当該割当対象に応じて按分した帯域を加えた値を帯域設定とする。
・要求有又は要求有との予測且つ所望の割当から所定期間の割当履歴が高い割当対象にその差分を単一または複数の所定期間で除した帯域を固定帯域設定を下限として減算した帯域設定とする。
・要求有又は要求有と予測且つ所望の割当から所定期間の割当履歴が高い割当対象にその差分を単一または複数の所定期間で除した帯域を減算した帯域設定とする。
・要求有又は要求有との予測且つ所望の割当から所定期間の割当履歴が高い割当対象に当該割当対象の保証帯域設定又は固定帯域設定とする。
・要求有又は要求有との予測且つ所望の割当から所定期間の割当履歴が高い割当対象に当該割当対象の保証帯域設定に非保証割当帯域又はベストエフォート帯域又はその予測値を当該割当対象に応じて按分した帯域よりも少ない帯域を加えた値を設定値とする。
・要求無又は要求無との予測の割当対象に当該割当対象の保証帯域設定又は固定帯域設定とする。
【００４９】
（実施形態１．３）
本実施形態の実施部は、同一宛先に所定の帯域又は波長又は心線又はコア又はモード又は符号又は（直交）周波数又は少なくともそれらの一部の組み合わせで割当を継続する。本実施形態の指示部は、所定の期間の検出結果と所望の割当との差異に応じて実施部に所定の割当を実施部に指示する。
【００５０】
所定期間の割当の所望の割当への近づけ方は任意であり、以下が例示できる。
実施部は指示部より指示された割当で割当を継続する。指示部は、実施部に対して割当が所望よりも超過する割当対象の割当が減少、不足する割当対象に対して割当が増大の少なくともいずれか一方となる割当を指示する。指示は、割当対象毎の所定の周期における割当帯域であってもよいし、ＢＷＭａｐにて指示するＡｌｌｏｃ−ＩＤとＡｌｌｏｃ−ＩＤに対応して割当する時間スロットであってもよいし、所定の期間における割当対象毎の送信開始時間と送信継続時間であってもよい。指示は、割当対象への割当が実施部で可能な形式であればよい。所定の期間は１又は複数のＢＷＭａｐ分であってもよいし、１又は複数のＤＢＡサイクル分であってもよいし、換算可能であれば整数倍以外のＢＷＭａｐやＤＢＡサイクル分であってもよい。実施部の指示部からの新しい割当に変更する時期は、割当が一巡するタイミングが望ましいが、新しい割当が到着次第であってもよい。
実施部は変更することなく、指示部の指示する割当を変更すれば柔軟な割当が可能である。
【００５１】
実施部に設定又は指示部から指示する割当の値の例を示す。
・要求有又は要求有との予測且つ所望の割当から所定期間の割当履歴が低い割当対象にその差分を単一または複数の所定期間で除した帯域を最大帯域設定を上限として加算する。
・要求有又は要求有と予測且つ所望の割当から所定期間の割当履歴が低い割当対象にその差分を単一または複数の所定期間で除した帯域を加算する。
・要求有又は要求有との予測且つ所望の割当から所定期間の割当履歴が低い割当対象に当該割当対象の保証帯域設定とする。
・要求有又は要求有との予測且つ所望の割当から所定期間の割当履歴が低い割当対象に当該割当対象の保証帯域設定に非保証割当帯域又はベストエフォート帯域又はその予測値を当該割当対象に応じて按分した帯域を加えた値とする。
・要求有又は要求有との予測且つ所望の割当から所定期間の割当履歴が高い割当対象にその差分を単一または複数の所定期間で除した帯域を固定帯域設定を下限として減算する。
・要求有又は要求有と予測且つ所望の割当から所定期間の割当履歴が高い割当対象にその差分を単一または複数の所定期間で除した帯域を減算する。
・要求有又は要求有との予測且つ所望の割当から所定期間の割当履歴が高い割当対象に当該割当対象の保証帯域設定又は固定帯域設定とする。
・要求有又は要求有との予測且つ所望の割当から所定期間の割当履歴が高い割当対象に当該割当対象の保証帯域設定に非保証割当又はベストエフォート帯域又はその予測値を当該割当対象に応じて按分した帯域よりも少ない帯域を加えた値とする。
・要求無又は要求無との予測の割当対象に当該割当対象の保証帯域設定又は固定帯域設定とする。
【００５２】
（実施形態１．４）
本実施形態の実施部は、同一宛先に所定の帯域又は波長又は心線又はコア又はモード又は符号又は（直交）周波数又はそれらの少なくともいずれかの組み合わせの設定で割当を継続する。本実施形態の指示部は、検出結果と所望の割当との差異に応じて実施部に割当の順番を指示する。
【００５３】
所定期間の割当の所望の割当への近づけ方は任意であり、以下が例示できる。
実施部は、割当の順番に応じて大きな帯域を割当する。例えば、割当順が第１の割当対象に全てを割当、第１の割当対象にその要求又は要求予測等を上限として割当して残りを後の順の割当対象に割当を継続する。この例の場合は前方の順番が割当が大きい順番であり、後方が割当が小さい順番である。逆の場合は逆となる。実施部の割当順は、指示部からの指示がなければ毎回同一の順番であってもよく。１又は複数回の割当毎に順番を繰り上げたり繰り下げたりしてシフトして循環するように順番を変えてもよい。指示部は、実施部に対して割当が所望よりも超過する割当対象に対して実施部での割当が小さい順番となるか、不足する割当対象に対して実施部での割当が大きい順番となるかの少なくとも一方を指示することで所望の割当に近づける。割当毎に順番を繰り上げたり繰り下げたりシフトする場合は、特に検出結果と所望の割当との差異の大きい順に割当順を並べることが望ましい。割当順の変更は割当周期毎又は要求又は要求予測が非零の割当対象数分の割当周期毎が望ましいが、指数平均等の履歴を少なくとも一部継続し検出する処理を用いればそれ以外であってもよく、周期の位相がずれていてもよい。
【００５４】
柔軟な割当の例としては、実施部の割当順がＯＮＵ１〜３で均等となる割当順、例えば１−＞２−＞３−＞１−＞…と巡回して大きな帯域を割当し、所望の割当比が１：２：３である場合、例えば、指示部はそのＯＮＵの比で大きな帯域を割当する順番とすればよい。例えば１−＞２−＞２−＞３−＞３−＞３−＞…とすることで１：２：３の割当比とできる。
【００５５】
前方の順番ほど大きな帯域を割当する実施部に指示部から指示する割当順の例を示す。降順ほど大きな帯域を割当する実施部への指示であれば以下の例の前方と後方が逆となる。
・要求有又は要求有との予測且つ所望の割当から所定期間の割当履歴が低い割当対象にその差分を解消するように単一または複数の所定期間割当の順番をより前方に配置するようにする。
・要求有又は要求有と予測且つ所望の割当から所定期間の割当履歴が低い割当対象にその差分を解消するように単一または複数の所定期間割当の順番をより前方に配置するようにする。
・要求有又は要求有との予測且つ所望の割当から所定期間の割当履歴が高い割当対象にその差分を解消するように単一または複数の所定期間割当の順番をより後方に配置するようにする。
・要求有又は要求有と予測且つ所望の割当から所定期間の割当履歴が高い割当対象にその差分を解消するように単一または複数の所定期間割当の順番をより後方に配置する。
【００５６】
（実施形態１．５）
本実施形態の実施部は、同一宛先に所定の帯域又は波長又は心線又はコア又はモード又は符号又は（直交）周波数又はそれらの少なくともいずれかの組み合わせで、予め複数の割当又は設定をもち、その割当又は設定での割当を継続する。割当の場合は、例えば実施形態１．３に示した割当、設定の場合は、例えば実施形態１．２に示した設定を用いる。本実施形態の指示部は、所定の期間の検出結果と所望の割当との差異に応じて、実施部が割当に用いる割当又は設定の切替を実施部に指示する。
【００５７】
所定期間の割当の所望の割当への近づけ方は任意であり、以下が例示できる。
実施部は指示部より指示された割当又は設定で割当を継続する。指示部は、実施部に対して割当が所望よりも超過する割当対象に割当が小さくなる、不足する割当対象に対して割当が大きくなる、の少なくともいずれかとなる割当又は設定への切替を指示する。実施部の指示部からの新しい割当又は設定に変更する時期は、ＤＢＡやＤＷＡやＤＷＢＡ等の割当に関する周期や、割当が少なくとも要求有又は要求有と予測される割当対象への割当が一巡する周期で同期した時期又は現設定での割当が完了したタイミングが望ましいが、新しい割当又は設定への切替指示が到着次第であってもよい。特に、指数平均等の履歴を少なくとも一部継続し検出する処理を用いれば周期同士が倍数関係等になくとも非同期であってもよい。
【００５８】
柔軟な割当の例としては、所定の期間の使用帯域積が上限の設定のある新サービスを既存の装置で提供することが、指示部で上限に達したら上限に達した割当対象の設定値を変更するように実施部にて指示することで実施部を変更することなく実現できる。
【００５９】
（実施形態２）
本実施形態では、時分割多重と、波長分割多重又は心線分割多重又はコア分割多重又はモード分割多重又は符号分割多重又は（直交）周波数多重の少なくとも一つを併用し、割当対象の利用する波長又は心線又はコア又はモード又は符号又は（直交）周波数又はそれらの少なくともいずれか（以降グループと称する）の切替で例示する。これらは、時分割多重の割当周期に対してその他の分割多重の切替が遅く、時分割多重とその他の分割多重を別々に実施する場合に適する。
【００６０】
本形態例でも、分割多重の切替機能を備えるＯＬＴであって、当該ＯＬＴが実施部及び指示部を備える。実施部は、主に単純な処理を行う。例えば、同一の割当対象、例えばＯＮＵは、所定の波長又は心線又はコア又はモード又は符号又は周波数又は所定の波長設定又は心線設定又はコア設定又はモード設定又は符号設定又は周波数設定で割当する。指示部は、実施部の処理の結果が通信事業者やサービスによって異なるサービスポリシーに応じた所望の割当に近づくように実施部に指示する。例えば、実施部における割当の情報を検出し、検出結果と所望の割当との差異に応じて、前記実施部における割当が所望の割当に近づくように、実施部に以下の（ａ）から（ｅ）のいずれかを指示する。
（ａ）割当対象の少なくとも一部に対する切替抑止又は優先切替（実施形態２．１）
（ｂ）切替設定の変更（実施形態２．２）
（ｃ）切替（実施形態２．３）
（ｄ）切替の順番（実施形態２．４）
（ｅ）切替／切替設定の切替（実施形態２．５）
【００６１】
次に、帯域又は波長又は心線又はコア又はモード又は符号又は周波数又はそれらの少なくともいずれかの組み合わせの切替の内で、波長に着目して例示する。この切替は波長であればＤＷＡに相当する。
【００６２】
（実施形態２．１）
本実施形態の実施部は、所定の順序に従い、割当対象のグループを切替する。所定の順序とは、例えば、少なくとも一部の割当単位が単純に順次グループを変更したり、所定の閾値を超過又は下回る軽輻輳又は重輻輳のグループに属する少なくとも一部の割当単位のグループを切替する順序である。本実施形態の指示部は、実施部の割当又は割当結果又は割当履歴又は割当に伴うデータ導通又は導通履歴又は要求又は要求履歴を検出し、所定の期間の検出結果と所望の割当との差異に応じて、割当対象の切替を抑止したり、優先的に切替する。具体的には所望の帯域より割当が少ない割当対象は、当該割当対象が切替した際に、利用可能な帯域の少ない重輻輳のグループへの切替を抑止やスキップ、又は利用可能な帯域の多い軽輻輳のグループへの切替を優先又は切替自体を抑止して割当不能な期間を削減するように指示部に指示する。所望の帯域より割当が多い割当対象は、利用可能な帯域の少ない重輻輳のグループへの切替を優先又は利用可能な帯域の多い軽輻輳のグループへの切替を抑止やスキップ又は切替自体を優先して切替に伴う割当不能な期間を増加するように指示部に指示する。
【００６３】
（実施形態２．２）
本実施形態の実施部は、所定の順序に従い、割当対象のグループを切替する。本実施形態の指示部は、実施部の割当又は割当結果又は割当履歴又は割当に伴うデータ導通又は導通履歴又は要求又は要求履歴を検出し、所定の期間の検出結果と所望の割当との差異に応じて実施部に切替設定の変更を実施部に指示する。具体的には、指示部は、実施部に対して割当が所望よりも超過する割当対象に対して重輻輳グループへの切替頻度や重輻輳グループに属する時間や切替回数自体を増大する設定値とし、不足する割当対象に対して軽輻輳グループへの切替頻度や軽輻輳グループに属する時間を増大したり切替回数自体を減少する設定値とする。
【００６４】
（実施形態２．３）
本実施形態の実施部は、実施部は指示部より指示された割当で割当を継続する又は所定の順序に従いグループを切替する。本実施形態の指示部は、実施部の割当又は割当結果又は割当履歴又は割当に伴うデータ導通又は導通履歴又は要求又は要求履歴を検出し、所定の期間の検出結果と所望の割当との差異に応じて実施部に割当対象の切替を指示する。具体的には、指示部は、実施部に対して割当が所望よりも超過する割当対象の割当が減少する、不足する割当対象に対して割当が増大する、の少なくともいずれかとなる切替を指示する。
【００６５】
（実施形態２．４）
本実施形態の実施部は、実施部は指示部より指示された割当で割当を継続する又は所定の順序に従い、割当対象のグループを切替する。本実施形態の指示部は、検出結果と所望の割当帯域との差異に応じて実施部に切替の順番を指示する。具体的には、所望の帯域より割当が少ない割当対象は、重輻輳のグループへの切替の順番を後倒又は軽輻輳のグループへの切替を前倒又は切替自体を後倒、所望の帯域より割当が多い割当対象は、重輻輳のグループへの切替を前倒又は軽輻輳のグループへの切替を後倒又は切替自体を前倒しするような順番を指示する。
【００６６】
（実施形態２．５）
本実施形態の実施部は、所定の複数の順番又は設定のいずれかで、割当対象のグループの組み合わせ又は切替設定を切替する。指示部は、実施部に対して割当が所望よりも超過する割当対象に割当が小さくなる、不足する割当対象に対して割当が大きくなる、のすくなくともいずれかの切替又は切替設定への切替を指示する。例えば、ＯＮＵ１〜３で２波長１〜２、組み合わせの切替であれば、ＯＮＵ１、２が波長１且つＯＮＵ３が波長２の組合わせとＯＮＵ１が波長１且つＯＮＵ２、３が波長２の組み合わせを切替して、ＯＮＵ１と３の帯域割当を所定の比に応じた値とする。例えば、ＯＮＵ１〜３で２波長１〜２、切替設定の切替であれば、ＯＮＵ１、２が波長１且つＯＮＵ３が波長２の組合わせとＯＮＵ１が波長１且つＯＮＵ２、３が波長２の組み合わせを切替して、ＯＮＵ１と３の帯域割当を所定の比に応じた値とする。
【００６７】
以下に、所望の割当に近づける選択の例を示す。
より重輻輳のグループに属する割当対象（ＯＮＵ又はＯＮＵのキュー又はＯＮＵのクラスバッファ等で、以下ＯＮＵで代表して示す）の内で帯域割当の時間積が大きいＯＮＵを軽輻輳のグループにグループ替えする判定、又は複数グループのトラフィックが所定の閾値を下回る又は下回ると予測した際にそれらの少なくとも一部のグループの通信を停止するために当該グループに属するＯＮＵを他のグループにグループ替え又は休止させてアクティブなＯＮＵが属さないグループを休止する判定、又は１又は複数グループのトラフィックが所定の閾値を上回る又は上回ると予測した際に少なくとも一部のグループの通信を開始して当該グループに属するＯＮＵを開始したグループにグループ替え又は休止していたＯＮＵをアクティブにする判定等の判定を、指示部が行い、その判定に基づく指示に従って実施部がグループ替えを行う。又は、所定の周期や契機に従って実施部がグループ替えし、公平性等の基準に基づき所望の割当となるように実施部のグループ替えする。
【００６８】
ここで重輻輳とは、割当対象にとって、利用可能な帯域が少ないこととし、要求の多い割当対象を多く収容する波長等や、他に比べて伝送可能な帯域自体が元々小さい波長等とする。
【００６９】
［１］第１の動作
第１の動作は、より重輻輳のグループに属するＯＮＵの内で割当の時間積が大きいＯＮＵを軽輻輳のグループにグループ替えする。なお、重輻輳のグループに属するＯＮＵの内で割当の時間積が大きいＯＮＵとは、例えば、同じグループに属する他のＯＮＵと比べて割当の時間積が大きいＯＮＵである。他のＯＮＵと比べて割当の時間積が大きいＯＮＵとは、例えば、グループ内で割当の時間積が最大のＯＮＵ、又はグループ内で割当の時間積が大きい順に所定台数のＯＮＵ、またはグループ内に属するＯＮＵ全てについての割当の時間積の平均値又はあらかじめ定める所定の値より大きい割当の時間積のＯＮＵである。所定の値は、例えば所定の時間、例えば観測時間における全グループの帯域の時間積の総和を全グループの全ＯＮＵ数或いはアクティブなＯＮＵ数或いは要求が未充足なＯＮＵ数で除した値である。なお、後述する、重輻輳のグループに属するＯＮＵの内でグループに属する他のＯＮＵと比べて重輻輳のグループに属した時間の積が大きい前記送受信機、重輻輳のグループに属するＯＮＵの内でグループに属する他のＯＮＵと比べて軽輻輳のグループに属した時間の積が小さいＯＮＵ及び重輻輳のグループに属するＯＮＵの内でグループに属する他のＯＮＵと比べてグループ変更に伴う通信断の回数又はグループ変更に伴う通信断の時間積が小さいＯＮＵについても同様である。なお、ここでグループの輻輳とは次のいずれか又はそれらのいずれかの組み合わせとする。
【００７０】
（１）グループ毎の収容ＯＮＵ数：収容ＯＮＵ数が多いほど重輻輳
（２）グループ毎の収容ＯＮＵでアクティブな（送信を行っている）ＯＮＵ数：収容ＯＮＵでアクティブなＯＮＵ数が多いほど重輻輳
（３）グループ毎の収容ＯＮＵで割当が要求に満たないＯＮＵ数：収容ＯＮＵで割当が要求に満たないＯＮＵ数が多いほど重輻輳
（４）グループ毎の収容する全ＯＮＵの要求の総和又は平均の値：収容する全ＯＮＵの要求の総和又は平均の値が大きいほど重輻輳
（５）グループ毎の収容する全ＯＮＵの割当の総和又は平均の値：収容する全ＯＮＵの割当の総和又は平均の値が小さいほど重輻輳、大きい値ほど重輻輳として扱う場合はそれらの逆数を使用
（６）グループ毎の収容する全ＯＮＵで割当が要求に満たないＯＮＵの割当の総和又は平均の値：収容する全ＯＮＵで割当が要求に満たないＯＮＵの割当の総和又は平均の値が小さいほど重輻輳、大きい値ほど重輻輳として扱う場合はそれらの逆数を使用
（７）グループ毎の収容するＯＮＵで割当が最大のＯＮＵの割当の値：収容するＯＮＵで割当が最大のＯＮＵの割当の値が小さいほど重輻輳、大きい値ほど重輻輳として扱う場合はそれらの逆数を使用
（８）グループ毎の収容するＯＮＵで割当が要求に待たないＯＮＵで割当が最大のＯＮＵの割当の値：収容するＯＮＵで割当が要求に待たないＯＮＵで割当が最大のＯＮＵの割当の値が小さいほど重輻輳、大きい値ほど重輻輳として扱う場合はそれらの逆数を使用
（９）グループ毎の収容するＯＮＵで割当が最小のＯＮＵの割当の値：収容するＯＮＵで割当が最小のＯＮＵの割当の値が小さいほど重輻輳、大きい値ほど重輻輳として扱う場合はそれらの逆数を使用
（１０）グループ毎の収容するＯＮＵで割当が要求に待たないＯＮＵで割当が最小のＯＮＵの割当の値：収容するＯＮＵで割当が要求に待たないＯＮＵで割当が最小のＯＮＵの割当の値が小さいほど重輻輳、大きい値ほど重輻輳として扱う場合はそれらの逆数を使用
（１１）グループ毎の収容するＯＮＵで、他のＯＮＵに比べて、重輻輳グループへの所属した時間積が多いか、軽輻輳グループへの所属した時間積が少ないか、割当が少ないか、グループ替えに伴う通信断の時間積が多いか、又はグループ替えに伴う通信断の回数が多いＯＮＵの数が多いほど重輻輳
【００７１】
なお、所定値以上を重輻輳、所定値未満を軽輻輳としてもよい。所定値は、例えば（１）で全グループの収容ＯＮＵ数をグループ数で除した値、或いはその値を切り上げ又は切り下げした値、（２）で全グループのアクティブなＯＮＵ数をグループ数で除した値、或いはその値を切り上げ又は切り下げした値、（３）で全グループの割当が要求に満たないＯＮＵ数をグループ数で除した値、或いはその値を切り上げ又は切り下げした値、（４）で全グループのＯＮＵの要求の総和又は平均の値をグループ数で除した値、或いはその値を切り上げ又は切り下げした値、（５）で全グループのＯＮＵの割当の総和又は平均の値をグループ数で除した値、或いはその値を切り上げ又は切り下げした値、（６）で全グループのＯＮＵで割当が要求に満たないＯＮＵの割当の総和又は平均の値をグループ数で除した値、或いはその値を切り上げ又は切り下げした値、（７）で、各グループのＯＮＵで割当が最大のＯＮＵの割当の値の総和をグループ数で除した値、或いはその値を切り上げ又は切り下げした値、（８）で各グループのＯＮＵで割当が要求に待たないＯＮＵで割当が最大のＯＮＵの割当の値の総和をグループ数で除した値、或いはその値を切り上げ又は切り下げした値、（９）で各グループのＯＮＵで割当が最小のＯＮＵの割当の値の総和をグループ数で除した値、或いはその値を切り上げ又は切り下げした値、（１０）で各グループのＯＮＵで割当が要求に待たないＯＮＵで割当が最小のＯＮＵの割当の値の総和をグループ数で除した値、或いはその値を切り上げ又は切り下げした値、（１１）で１或いは全グループのＯＮＵ数をグループ数で除した値の半分、或いはその値を切り上げまたは切り下げした値の半分などである。また、グループを輻輳順に並べたとき、半分より輻輳側にあるグループを重輻輳、他のグループを軽輻輳としてもよい。
【００７２】
上記（１）は最も簡易で全ＯＮＵが常にアクティブな場合に適している。アクティブでないＯＮＵが存在する場合、上記（１）の設定では輻輳を判定することが難しい。上記（２）は、アクティブなＯＮＵは全てＧｒｅｅｄｙな送信機である場合に適している。ここで、Ｇｒｅｅｄｙな送信機とは、ＴＣＰ／ＩＰのように使用可能な帯域に応じて要求する帯域を、使用可能な帯域以下になるように制御せずに、その時々で割当される帯域以上の帯域を要求とするような送信機を意味する。Ｇｒｅｅｄｙの場合、上記（２）のような簡易な設定で輻輳を判定することができる。
【００７３】
一方、少なくとも一部のＯＮＵがＧｒｅｅｄｙでない場合、ＯＮＵ毎に要求が異なるため、上記（２）のような設定では明確に輻輳を判定することが難しい。この場合を考慮したものが上記（３）〜（１１）である。
【００７４】
上記（３）はＯＮＵ数を、上記（４）〜（１０）は収容するＯＮＵの要求又は割当の総和／平均／最大値／最小値を用いた輻輳の判定方法である。この内、上記（３）（６）（８）（１０）は、要求自体又は要求が未充足であるＯＮＵに着目したより精緻な輻輳の判定方法である。上記（１１）は他のＯＮＵに比べて、通信断の多さや割当の少なさで不公平な状態にあるＯＮＵの数を用いた輻輳の判定方法である。
【００７５】
また、上記（５）〜（１０）で用いる割当は、ＯＬＴから送信許可した帯域、実際に使用した帯域、又は要求の裏づけがあって送信許可した帯域とすることが望ましい。なお、要求の裏づけのない帯域割当（未所要割当）とは、例えば「Ｂ−ＰＯＮ  ＤＢＡにおける低遅延を実現する帯域分配法」吉野學、吉原慎一、上田裕巳、２００２年電子情報通信学会通信ソサイエティ大会、Ｂ−８−８に示されるようなものがある。また、要求されたが送信情報の断片化（フラグメンテーション）を抑止するために使用されない未使用帯域もある。例えば１パケット未満の端数の帯域である。このため、上記（５）〜（１０）の割当は、公平性の観点から上述のような未所要割当や未使用帯域の割当を含まない実際に使用した帯域又は要求の裏づけがあって送信許可した帯域とするのが望ましい。
【００７６】
グループ替えによって割当が増加するＯＮＵは、グループ替えによってＯＮＵが抜けるグループに残留するＯＮＵと、場合によってはグループ替えによって軽輻輳のグループに追加されるＯＮＵである。重輻輳のグループから軽輻輳のグループ替えされるＯＮＵの割当が増加する場合は、グループ替えによる通信断時間を考慮しなければ、従前の重輻輳のグループにおける割当よりも、軽輻輳のグループで追加されたのちにそのグループにおける割当が大きい場合である。例えば、従来例の説明で用いた帯域が同じ２グループ間で３ＯＮＵを振り分ける場合は、追加されるＯＮＵはグループ替えの前後とも２ＯＮＵで帯域を共用するので、常に重輻輳のグループに属することになり、当該ＯＮＵはグループ替えによって割当は増加しない。更にグループ替えによる通信断時間を考慮すると、グループ替えによって更に割当は減少している。なお、新規にＯＮＵが追加されたグループに従前から属していたＯＮＵの割当は減少する。
【００７７】
ＯＮＵに関して、観測する通信状態は、実現する公平性によって異なる。例えば、割当が均等又は各ＯＮＵの重み付けに応じた所定の比に近いことが公平とすれば割当を観測する。第１の動作はこの公平性に適した動作である。
【００７８】
保証しなければならない帯域である保証帯域又は送信機から送信許可を要求する要求に対する割当の比である割当比を公平にする場合はその割当比を通信状態として観測する。ここで、要求は、ＯＮＵからの要求の申告値又はその値を平滑化等の処理により算出した値だけではなく、過去の通信履歴に従い決定してもよい。通信履歴は過去一定時間間隔のウインドウでの履歴であってもよいし、一定時間のスライディングウインドウの履歴であってもよいし、加重平均や指数平均による履歴でもよい。
【００７９】
送信機間で共用できる帯域を所定の比で（例えば、１：１：１等）で割当する場合は、共用できる帯域×該当する送信機の比÷全送信機の比の総和を、実効的な保証帯域としてそれに対する割当比を通信状態として観測してもよい。
【００８０】
また、上記の割当比の比較は、割当よりも要求が大きい送信機だけに限定して行ってもよい。また、要求によらずに固定的に割当てた帯域や、優先クラス分の割当を減じた帯域、又固定的に割当てたグループや優先クラス用のグループ以外のグループに関して比較を行ってもよい。
【００８１】
第１の動作では、重輻輳のグループに属するＯＮＵの内で割当の時間積が大きいＯＮＵを切り替えることになるので、同一のＯＮＵのみグループ替えを連続し、その割当が減少するようなことがなく、ＯＮＵ間で公平になるように帯域割当することができる。例えば２グループ３ＯＮＵで全ＯＮＵが常に割当以上の要求をしている場合、グループ替えするＯＮＵはＯＮＵ１−＞ＯＮＵ２−＞ＯＮＵ３のように順次切り替わることになる。
【００８２】
このため、実効的にグループ替えに伴う通信断時間及び重輻輳グループに所属した時間積と軽輻輳グループに所属した時間積が平均的にみると均等となり、グループ内の帯域割当は、過去のＯＮＵの割当履歴を考慮せずに、その時々の重み付けに応じて割当てれば、グループを跨ったＯＮＵ間での公平な帯域割当が可能となる。
【００８３】
なお、本第１の動作及び後述の第２、第３の動作で、グループ間で輻輳の差が一定の範囲以内となった場合、グループ替えを行わないとしてもよい。ここで、グループ間で輻輳の差が一定の範囲以内とは、例えば、グループ替えに伴う通信断時間相当の値以下となった場合や、グループ替えを実行した場合に改善される輻輳の程度相当の値以下となった場合である。また、このような場合に、個別のＯＮＵ間での割当が公平な割当から一定の範囲内に収まるまで、本第１の動作及び後述の第２、第３の動作を実行することが望ましい。
【００８４】
ここで、公平な割当から一定の範囲内とは、例えば、グループ替えに伴う通信断時間相当の値以下や、グループ替えを実行した場合に改善される公平性の程度相当の値以下である。
【００８５】
これは、個別のＯＮＵの要求等の変化に伴い、ＯＮＵ間での公平性が実現する前に、グループ間で輻輳の差が一定の範囲内になる可能性があるからである。この後者の条件下では、重輻輳のグループは、公平な割当よりも割当が少ないＯＮＵが所属しているグループとなる。即ち上記の（１１）での判定となる。ここで、グループ間で輻輳の差が一定の範囲になるまでは上記の（１１）以外でグループの輻輳を判定し、判定に使った方法で、グループ間の輻輳の差が一定の範囲内となった場合に上記（１１）の方法での判定に切り替えるとしてもよい。
【００８６】
なお、観測時間としては固定周期の観測窓で観測してもよいし、観測する時間を過去の所定期間での移動平均とするスライディングウインドウで観測してもよいし、過去の履歴を指数関数的に忘却し、実効的に近々の観測を重視して指数平均した観測であってもよい。
【００８７】
またＯＮＵ毎の帯域の観測の仕方としては、グループ替えに伴う通信断時間を割当零の時間として観測する方法と、グループ替えに伴う通信断時間は無視する観測の仕方があるが、第１の動作としてはグループ替えに伴う通信断時間を割当零の時間として観測する方が望ましい。
【００８８】
例えば、制御機が割当を周期的に観測しているとする。更に、制御機は、観測した帯域を指数関数的に忘却し、実効的に近々の観測を重視して指数平均した観測時間で、グループ替えに伴う通信断時間を考慮して観測するものとする。また、各ＯＮＵの要求は割当てられる帯域よりも大きいものとする。ｊ番グループの帯域をＧｊ、時間Ｔにおける収容ＯＮＵ数をＮｊ（ｔ）、観測の忘却に関する係数を（１−ｋ）、ｉ番ＯＮＵの割当をＢｉ（ｔ）とする。この場合、観測時間における割当の履歴がＲＢｉ（ｔ）は、
ＲＢｉ（ｔ）＝ｋＢｉ（ｔ）＋（１−ｋ）ＲＢｉ（ｔ）
である。ここで、ｉ番ＯＮＵの割当Ｂｉ（ｔ）は、ｊ番グループに属している場合、Ｇｉ／Ｎｊ（ｔ）でありグループ替えに伴う断時間は零となる。また忘却に関する係数は忘却するまでの時間が、切替の周期に比べて十分に大きくなる値である。
【００８９】
［２］第２の動作
第２の動作は、グループの輻輳がより重輻輳のグループに属するＯＮＵの内で、より重輻輳のグループに属していた時間積の大きいＯＮＵ又はグループの輻輳がより重輻輳のグループに属するＯＮＵの内でより軽輻輳のグループに属していた時間積の小さいＯＮＵをグループ替えする。時間積は、例えば、グループ毎の輻輳の第１の動作で例示した値で示しその時間積としてもよいし、輻輳を複数の段階に分けてそれぞれ所定の値を割付、例えば、軽輻輳を０、重輻輳を１と割付け、その値の時間積としてもよい。
【００９０】
本動作は、第１の動作と比べ、個別のＯＮＵの帯域自体を観測せずに、少なくとも軽輻輳グループと重輻輳グループへの滞在時間のみを観測すればよい。このため観測が容易である。更に、グループ内でのＯＮＵ毎の実帯域割当の値をグループ替えに使用しないので、グループ内の帯域割当と、グループ間のＯＮＵの割振りを分離して制御することが容易である。公平な割当は、グループ内での帯域割当が公平であり、切替の前後を通してＯＮＵの要求の分布状況の変化が無視でき、グループ替えによるグループ間の輻輳状況が平準化されれば実現できる。
【００９１】
所定の周期や契機に従って実施部がグループ替えを行う場合、要求有又は要求有との予測且つ所望の割当から所定期間の割当履歴が低い又は高い割当対象にその差分が解消するように単一または複数の所定期間グループ替えを優先的に行う又は抑止するように指示する。
【００９２】
［３］第３の動作
第３の動作は、グループの輻輳がより重輻輳のグループに属するＯＮＵの内でグループ替えに伴う通信断の時間積が小さいＯＮＵをグループ替えする。第１の動作と同様の例で示すと通信断の時間Ｔｉ（ｔ）の時間積ＲＴｉ（ｔ）は、
ＲＴｉ（ｔ）＝ｋＴｉ（ｔ）＋（１−ｋ）ＲＴｉ（ｔ）
である。
【００９３】
なお、グループ替えに伴う通信断の時間積は、通信断の時間がＯＮＵ毎に差異がないとみなせる場合は、切替回数に置き換えてもよい。
【００９４】
通信断の時間積は、実効的に通常よりも割当アルゴリズム等で割当量が、グループ替えがなかった場合に比べて、要求履歴の更新が不十分である等の理由によって割当量が制限される時間を含んでいてもよいし、制限される時間はその制限される量を係数として乗じた時間として含んでいてもよい。
【００９５】
このため、本動作も、実効的にグループ替えに伴う通信断時間及び重輻輳グループに所属した時間積と軽輻輳グループに所属した時間積が均等となり、グループ内の帯域割当は、過去のＯＮＵの割当履歴を考慮せずに、その時々の重み付けに応じて割当てれば、グループを跨ったＯＮＵ間での公平な帯域割当が可能となるのは第１の動作と同様である。
【００９６】
更に、本動作は、制御機はグループ毎の割当を保持せずに通信断の時間積のみ保持するため、第２の動作と同様に、第１の動作に比べて履歴の保持と処理が容易である。
【００９７】
［４−１］第４の動作（その１）
第４の動作（その１）は、ＯＮＵ毎のグループ替えに伴う通信断時間積のばらつきをＯＮＵ間で一定の範囲内に抑える。一定の範囲内とは例えば、一回のグループ替えに伴う通信断時間以下である。切替に際して、第１〜第３の動作のようにグループの輻輳に基づいて、重輻輳グループから軽輻輳グループへとグループ替えを行ってもよいし、後述の第４の動作（その３）の例で示すように巡回的にグループ替えを行ってもよい。
【００９８】
巡回的にグループ替えを行う場合、各グループのアクティブなＯＮＵの数または要求等の輻輳が平準化される状況であることが望ましい。ここで、アクティブなＯＮＵの数または要求等の輻輳が平準化される状況とは、例えば、アクティブなＯＮＵの数の差がグループ間で１以下、又は割当が要求を超過しないＯＮＵの割当の総和の差がグループ間で割当が要求を超過しないＯＮＵの割当以下のような状況である。
【００９９】
このような状況下且つ要求の状況が概ね一定とみなせる時間の間に巡回的にグループ替えを行う場合は、多くとも全ＯＮＵが全グループへのグループ替えを行えばよい。同様の輻輳のグループの数と、アクティブ又は割当が要求を超過しないＯＮＵの数がそれぞれ複数の場合はグループ数の半分のグループへのグループ替えを行えばよい。いずれの場合も長期的には、実効的にグループ替えに伴う通信断時間及び重輻輳グループに所属した時間積と軽輻輳グループに所属した時間積がそれぞれ均等に近づき、グループ内の帯域割当は、過去のＯＮＵの割当履歴を考慮せずに、その時々の重み付けに応じて割当てれば、グループを跨ったＯＮＵ間での公平な帯域割当が容易に可能となる。
【０１００】
［４−２］第４の動作（その２）
第４の動作（その２）は、ＯＮＵが重輻輳のグループと軽輻輳のグループに収容される期間のばらつきをＯＮＵ間で一定の範囲内に抑える。一定の範囲内とは例えば、切替に伴なう通信断の時間に相当する時間に割当てうる最大の帯域である。切替に際して、第１〜第３の動作のように重輻輳グループから軽輻輳グループへとグループ替えを行ってもよいし、後述の第４の動作（その３）の例で示すように巡回的にグループ替えを行ってもよい。いずれの場合も長期的には、実効的にグループ替えに伴う通信断時間及び重輻輳グループに所属した時間積と軽輻輳グループに所属した時間積が均等に近づき、グループ内の帯域割当は、過去のＯＮＵの割当履歴を考慮せずに、その時々の重み付けに応じて割当てれば、グループを跨ったＯＮＵ間での公平な帯域割当が容易に可能となる。
【０１０１】
［４−３］第４の動作（その３）
第４の動作（その３）は、第４の動作（その１）と第４の動作（その２）の組み合せである。即ち、グループ毎の通信状態と、各第１送受信機（１６、１７）がどの波長にどの期間滞在しているかとグループ替えに伴う通信断の時間を観測し、公平性を観測する観測周期における全第１送受信機（１６、１７）の切替に伴う通信断時間と所属するグループの輻輳の時間積が公平となるようにグループ指定指示を出す。
【０１０２】
本動作は、第４の動作（その１）で、グループ間で輻輳の平準化ができず、グループ替えの周期のそれぞれで常に重輻輳のグループに所属するＯＮＵと常に軽輻輳のグループに所属するＯＮＵに分類されるような状況が発生する場合に、その不公平を補正することができる。また、本動作は、グループ替えに伴う通信断時間が甚だしく大きく、第４の動作（その２）で切替の回数の多寡による割当の差異が甚だしい状況が発生する場合にも、その不公平を補正することができる。これは、本動作は、切替にともなる通信断時間の平準化と軽輻輳と重輻輳のグループに、それぞれ属していた時間を平準化することができるためである。
【０１０３】
軽輻輳と重輻輳のグループにそれぞれ属していた時間の積は、軽輻輳のグループ同士の輻輳の程度及び重輻輳のグループ同士の輻輳の程度がそれぞれ観測時間を通じて同程度である場合は、単純に軽輻輳と重輻輳のグループにそれぞれ属していた時間の積をとればよい。グループ毎にまた時間によって輻輳の程度が異なる場合は、所属時間に輻輳の程度を乗じた値を積算することでそれぞれ属していた時間の積をとればよい。所属時間に輻輳の程度を乗じた値を積算する場合は、軽輻輳のグループに所属していた時間積と重輻輳のグループに所属していた時間積をそれぞれ個別に積算せずに一つの積算値として保持してよい。グループ替えに伴う通信断時間も個別に積算してもよいが、輻輳が甚だしく通信が全くできない状況としてとみなして軽輻輳のグループに所属していた時間積と重輻輳のグループに所属していた時間積と一緒に積算してもよい。まとめて積算する場合、保持すべき値が少なくなる効果がある。
【０１０４】
割当が均等を公平とする例を用いて以下説明を加える。例えば、波長が２波長であり、全送信機の帯域割当に関する重み付け及び切り替え時間が同一であり、一方が軽輻輳で他方が重輻輳であれば全送信機に概ね等しい時間だけ軽輻輳と重輻輳の波長でそれぞれ識別されるグループに属することとする。
【０１０５】
切替時間が同一であれば、帰属する波長で識別されるグループのＯＮＵ数、保証帯域に対する要求の総和、保証帯域から固定帯域を減じた帯域に対する要求から固定帯域を減じたものの総和の時間積が均等となるようにすればよい。
【０１０６】
例えば、送信機ｉに対する軽輻輳波長での割当帯域とその時間、重輻輳波長での割当帯域とその時間、グループ替えに伴う通信断時間における割当帯域とその時間をそれぞれＢｌｉ、Ｔｌｉ、Ｂｓｉ、Ｔｓｉ、Ｂｈｉ、Ｔｈｉとすると、数式１のように全ての送信機ｉに対して、Ｂｈｉ・Ｔｈｉ＋Ｂｓｉ・Ｔｓｉ＋Ｂｌｉ・Ｔｌｉが一定となるように制御する。
（数式１）∀ｉ、  Ｂｈｉ・Ｔｈｉ＋Ｂｓｉ・Ｔｓｉ＋Ｂｌｉ・Ｔｌｉ＝ｃｏｎｓｔ
以下、巡回的に割当てることで、実効的に（数式１）を満たす。ここで、単純のために、グループを構成するＯＮＵの通信状態はグループ替えが一巡する間同様（全てがＧｒｅｅｄｙ）の例で示している。但し、一巡する間に変動しても、統計的、長期的に見れば同様とみなしうるので本例と同様の効果がある。この場合、数式１の各値は
（数式２）Ｔｈｉ＋Ｔｌｉ＝Ｃｏｎｓｔ、
Ｂｈｉ＝ＢＷ／（〔Ｎ／Ｌ〕）、
Ｂｓｉ＝ＢＷ／（〔Ｎ／Ｌ〕＋１）
の関係で表せる。ここで、ＢＷは１波長毎の帯域で、Ｎは送信機数、Ｌは波長数、〔  〕は少数切捨てを意味する。
【０１０７】
（実施形態３）
図３に第１の機能配備例を、図４に第２の機能配備例を示す。第１の機能配備例は、ネットワーク機器のＣＰＵ版２５に、機能である指示部が備わる。指示部は、図示するように独立したＣＰＵ版２５に限定されず、ＯＬＴ外部、ＯＬＴ内部、ＯＬＴのＳＷ２２上、ＯＳＵ２１上、λＣａｒｄ（１又は複数波長の光送信または光受信の少なくともいずれか一方を行うラインカード）上、ＰＯＮ  ＭＡＣ、λＴＲｘ（１又は複数波長の光送受信器）等の実施部に接続される任意の演算処理可能な箇所でありうる。第２の機能配備例は、ネットワーク機器とネットワークを介して接続されている任意の機器、例えば外部のサーバ２６に、ソフトウェア化された機能である指示部が、サーバ２６と指示情報を交換するために、変換部２７とを備わる。例えば、ＤＢＡ機能の一部をソフトウェア化した指示部は、ＣＰＵ版２５又はサーバ２６に備わる。ＤＢＡ機能の他の一部である実施部は、ＯＳＵ２１に備わる。ただし、実施部は、ＯＳＵ２１上のＭＡＣチップに限らず、ＯＬＴ外部、ＯＬＴ内部、ＯＬＴのＳＷ２２上、ＯＳＵ２１上、λＣａｒｄ上、λＴＲｘ等の指示部に接続される構成に備わっていてもよい。また、図では一部のソフトウェア化された機能を示すが、それ以外のソフトウェア化された機能を配備してもよいし、主要８機能で備えている機能に関するソフトウェア化された機能を備えなくてもよい。
【０１０８】
図３及び図４では、ネットワーク機器のハードとして、λｃａｒｄ（後述の構成例の図６に示すＴＲｘ１１、図６ではＰＯＮ  ＭＡＣはλＣａｒｄ上で例示するが、λＣａｒｄ上に配備されるとは限らず、またＰＯＮ  ＭＡＣとして独立して備えなくともよい）、ＯＳＵ２１、ＳＷ２２（図６に示すＳＷ１２又はＳＷ１３）、制御部２４（図６に示す制御部１４）、ＣＰＵ版２５、指示情報を通信プロトコルに従った形式例えばＥｔｈｅｒｎｅｔ（登録商標）フレームの形式とする変換部２７を記載したが、本実施形態はこれに限定されない。例えば、ＣＰＵ版２５はλｃａｒｄ、ＯＳＵ２１、ＳＷ２２、制御部２４等に、そのまま又は分散して又は一部が含まれていてもよい。また、処理はＣＰＵで行うと例示したが、一部また全てを、処理機能を備える代替物、例えばＣＰＵ以外のＧＰＵやＮＰＵやＤＳＰ等のプロセッサやＦＰＧＡ上で処理してもよい。また、サーバ２６等との指示等の入出力を例えばＥｔｈｅｒｎｅｔフレーム等の伝送路で伝送できる形式に変換するための変換器は、サーバ２６と指示等の入出力が可能であれば、Ｅｔｈｅｒｎｅｔフレーム以外のフレームやＴＤＭ等への変換であってもよいし、変換部２７を介さずに、サーバ２６と指示等を伝送して入出力が可能であれば変換部２７は不要である。また後述の構成例の図６に示すように、ＳＷ２２のＮＮＩ側にＳＷに入出力する信号を処理するプロキシ部１５また外部のサーバ１６等の処理装置であるＣｌｏｕｄのいずれか又はその複数に備えていてもよい。各機能は処理能力や処理遅延の要求に応じて適宜配置してもよい。また、ＯＳＵ２１に本図のＳＷ２２（後述の構成例の図中のＳＷ１２又はＳＷ１３）を備えていてもよいし、本図のＳＷ２２とは別途ＳＷ（後述の構成例でＳＷ１３を備える場合のＳＷ１２）を備えていてもよい。ＳＷ２２の機能はＳＷ１２とＳＷ１３で重複せずにＳＷ２２の処理能力等に従って適宜分担することが望ましいが、重複してもよい。
【０１０９】
また、ＯＳＵ２１は、図５に示すように、ＸＧＥＭ（ＸＧ（１０  Ｇｉｇａｂｉｔ  Ｃａｐａｂｌｅ）−ＰＯＮ  Ｅｎｃａｐｓｕｌａｔｉｏｎ  Ｍｅｔｈｏｄ）タグ変換機能、ＸＧＥＭフレーマ機能、暗号化機能、ＸＧＴＣ（ＸＧ−ＰＯＮ  Ｔｒａｎｓｍｉｓｓｉｏｎ  Ｃｏｎｖｅｒｇｅｎｃｅ）フレーマ機能、ＦＥＣ（Ｆｏｒｗａｒｄ  Ｅｒｒｏｒ  Ｃｏｒｒｅｃｔｉｏｎ）機能、ＰＨＹ（Ｐｈｙｓｉｃａｌ  Ｌａｙｅｒ）フレーマ機能、フレーム同期機能、電気と光を変換するＳＰ変換機能、ＰＭＤ機能を備えていてもよい。ＯＳＵ  ＭＡＣは、ＰＳＢｄ（ｐｈｙｓｉｃａｌ  ｓｙｎｃｈｒｏｎｉｚａｔｉｏｎ  ｂｌｏｃｋ  ｄｏｗｎｓｔｒｅａｍ）付与、ＰＳＢｕ（ｐｈｙｓｉｃａｌ  ｓｙｎｃｈｒｏｎｉｚａｔｉｏｎ  ｂｌｏｃｋ  ｕｐｓｔｒｅａｍ）削除、ＲＴＴ測定、ＳＦＣ（ＳｕｐｅｒＦｒａｍｅ  Ｃｏｕｎｔｅｒ）同期を行う。
【０１１０】
（実施形態４）
図１に示した第１の形態例ではＴＷＤＭ−ＰＯＮを例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重するに要する機能を備えていなくてもよいことを除けば第１の形態例と同様である。
【０１１１】
第１の形態例ではＴＷＤＭ−ＰＯＮを例示したが、波長と時間以外のリソースを共用するＰＯＮ、例えば１又は複数波長の電気の周波数リソースを分割多重するＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）−ＰＯＮ、１又は波長の電気の周波数リソースを分割多重するＳＣＭ−ＰＯＮ、光領域のＯＦＤＭで分割多重してもよいし、心線分割多重を併用してもよいし、コア分割多重（空間分割多重）を併用してもよいし、モード分割多重を併用してもよいし、電気又は光又は心線又はコア又はモード又は（直交）周波数又はそれらのいずれかの組み合わせの符号で分割多重するＣＤＭ−ＰＯＮに適用してもよいし、時分割多重や波長分割多重以外の分割多重のみをしてもよい。ＴＷＤＭ−ＰＯＮの波長リソースを波長分割多重するに要する機能に対応する機能を、それぞれの多重するリソースに分割多重するに要する機能に対応する機能に読み替えれば同様である。
【０１１２】
なお、第１の形態例ではＴＷＤＭ−ＰＯＮを例に挙げたが、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをＳＷとそれ以外の部分の間を導通するようすればよい。
【０１１３】
以下、図６を参照しながら、通信システムの構成例について説明する。
・第１の通信システム構成例
第１の通信システム構成例は、送受信部（ＴＲｘ）１１と、スイッチ部（ＳＷ）１２と、スイッチ部（ＳＷ）１３と、制御部１４と、プロキシ部１５と、サーバ１６と、を備える。
【０１１４】
ＯＬＴは、ＴＲｘ１１と、ＳＷ１２と、ＳＷ１３と、制御部１４とから構成してもよいし、ＴＲｘ１１と、ＳＷ１２と、ＳＷ１３と、制御部１４と、サーバ１６とから構成してもよい。ＯＳＵは、ＴＲｘ１１とから構成してもよいし、ＴＲｘ１１と、ＳＷ１２とから構成してもよいし、ＴＲｘ１１と、ＳＷ１３とから構成してもよい。
【０１１５】
異なる波長（λＡ〜λＮ）のＴＲｘ１１がＳＷ１２に接続されている。ＴＲｘ１１は自律、又はＳＷ１２やＳＷ１３や制御部１４やプロキシ部１５やサーバ１６等の他の構成要素からの制御、又はＳＷ１２やＳＷ１３や制御部１４やプロキシ部１５やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１１６】
ＳＷ１２がＳＷ３に接続される。
【０１１７】
ただし、上りに関しても集約されるとは限らない。例えば、異なる波長のＴＲｘ１１がＯＮＵ側から見て後段の装置（本通信システム構成例ではＳＷ１２で例示するが、ＳＷ１３やプロキシ部１５等でもよい）と接続する通信システム構成では波長毎への振り分けが主であるが、分配、集約、そのまま透過、ＶＩＤや優先廃棄を表すタグ等のタグ付加又は付替してもよい。さらに、同じ波長のＴＲｘ１１がＯＮＵ側から見て後段の装置（本通信システム構成例ではＳＷ１２で例示するが、ＳＷ１３やプロキシ部１５等でもよい）と接続する通信システム構成では、上りトラヒックは集約が主であるが、分配、振分、そのまま透過、タグ付加又は付替してもよく、下りトラフィックも分配、集約、振り分け、透過、タグ付加又は付替であってもよい。さらに、少なくとも一部の波長のＴＲｘ１１が複数とそれ以外の波長のＴＲｘ１１がＯＮＵ側から見て後段の装置（本通信システム構成例ではＳＷ１２で例示するが、ＳＷ１３やプロキシ部１５等でもよい）では分配、集約、振り分け、透過、タグ付加又は付替のいずれかであってもよく、少なくとも一部の組み合わせであってもよい。そのいずれとなるかはサービスポリシーによる。
これは以降の通信システム構成例でも同様である。
【０１１８】
ＳＷ１２は自律、又はＴＲｘ１１やＳＷ１３や制御部１４やプロキシ部１５やサーバ１６等の他の構成要素からの制御、又はＴＲｘ１１やＳＷ１３や制御部１４やプロキシ部１５やサーバ１６等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１１９】
ただし、制御されるとは限らない。例えば、通信システム構成に備える制御部１４は１１から１５（本通信システム構成例ではＴＲｘ１１、ＳＷ１２、ＳＷ１３、プロキシ部１５）の少なくとも一つを制御する場合と、制御せずに通信システム構成に備える１１から１５（本通信システム構成例ではＴＲｘ１１、ＳＷ１２、ＳＷ１３、プロキシ部１５）の少なくとも一つに制御情報を転送する場合がある。転送元としては例えば１５や１６がある。また、通信システム構成に備える１１から１５が自律で動く場合もある。
これは以降の通信システム構成例でも同様である。
【０１２０】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４やプロキシ部１５やサーバ１６等の他の構成要素からの制御、又はＴＲｘ１１やＳＷ１２や制御部１４やプロキシ部１５やサーバ１６等の他の構成要素を介して転送された制御で制御され、ＳＷ１２又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１２１】
制御部１４は、ＴＲｘ１１又はＳＷ１２又はＳＷ１３又はプロキシ部１５又はサーバ１６又は外部のオペレーションシステム（不図示）やコントローラ（不図示）や外部の装置（不図示）と接続される。制御部１４は、ＴＲｘ１１やＳＷ１２やＳＷ１３やプロキシ部１５やサーバ１６等の他の構成要素を制御、又はＴＲｘ１１やＳＷ１２やＳＷ１３やプロキシ部１５やサーバ１６等の他の構成要素を介して制御を転送する。
【０１２２】
ただし、これはプロキシ１５はＯＬＴから／へのデータ経路上に設置することを想定した場合である。間に他の装置（例えば、複数のＯＬＴから／へのトラフィックを集約／分配する集線ＳＷ等）を介在する場合、直接接続されなくてもよい。制御の流れとしては、ＴＲｘ１１、ＳＷ１２、ＳＷ１３、制御部１４、サーバ１６にいずれもありえる。
これは以降の通信システム構成例でも同様である。
【０１２３】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３や制御部１４やサーバ１６等の他の構成要素からの制御、又はＴＲｘ１１やＳＷ１２やＳＷ１３や制御部１４やサーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１２４】
サーバ１６は、ＴＲｘ１１又はＳＷ１２又はＳＷ１３又は制御部１４又はプロキシ部１５又は外部のオペレーションシステム（不図示）やコントローラ（不図示）や外部の装置（不図示）と接続される。サーバ１６は、ＴＲｘ１１やＳＷ１２やＳＷ１３や制御部１４やプロキシ部１５等の他の構成要素を制御、又はＴＲｘ１１やＳＷ１２やＳＷ１３や制御部１４やプロキシ部１５等の他の構成要素を介して制御を転送する。
【０１２５】
ＴＲｘ１１やＳＷ１２やＳＷ１３や制御部１４やプロキシ部１５やサーバ１６は、ＴＲｘ１１やＳＷ１２やＳＷ１３やプロキシ部１５やサーバ１６等の他の構成要素のトラフィックの一部又はその全てそれ自体又はその複写を受けて、受けたトラフィックの一部又はその全て自体又は受けたトラフィックの一部又は全てを書き換えたトラフィック又は受けたトラフィックに対する応答をＴＲｘ１１やＳＷ１２やＳＷ１３やプロキシ部１５やサーバ１６等の他の構成要素又は外部のオペレーションシステム（不図示）やコントローラ（不図示）や外部の装置（不図示）に送付してもよい。
【０１２６】
第１の通信システム構成において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。
第１の通信システム構成において、一部の波長のＴＲｘ１１が複数とそれ以外の波長のＴＲｘ１１がＯＮＵ側から見て後段の装置（本通信システム構成例ではＳＷ１２）に接続されていてもよい。
【０１２７】
・第２の通信システム構成例
第２の通信システム構成例は、送受信部（ＴＲｘ）１１と、スイッチ部（ＳＷ）１２と、スイッチ部（ＳＷ）１３と、制御部１４と、プロキシ部１５と、を備える。
【０１２８】
異なる波長（λＡ〜λＮ）のＴＲｘ１１がＳＷ１２に接続されている。ＴＲｘ１１は自律、又はＳＷ１２やＳＷ１３や制御部１４やプロキシ部１５等の他の構成要素からの制御、又はＳＷ１２やＳＷ１３や制御部１４やプロキシ部１５等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１２９】
ＳＷ１２がＳＷ１３に接続される。ＳＷ１２は自律、又はＴＲｘ１１やＳＷ１３や制御部１４やプロキシ部１５等の他の構成要素からの制御、又はＴＲｘ１１やＳＷ１３や制御部１４やプロキシ部１５や等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１３０】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４やプロキシ部１５等の他の構成要素からの制御、又はＴＲｘ１１やＳＷ１２や制御部１４やプロキシ部１５等の他の構成要素を介して転送された制御で制御され、ＳＷ１２又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１３１】
制御部１４は、ＴＲｘ１１又はＳＷ１２又はＳＷ１３又はプロキシ部１５又は外部のオペレーションシステム（不図示）やコントローラ（不図示）や外部の装置（不図示）と接続される。制御部１４は、ＴＲｘ１１やＳＷ１２やＳＷ１３やプロキシ部１５等の他の構成要素を制御、又はＴＲｘ１１やＳＷ１２やＳＷ１３やプロキシ部１５等の他の構成要素を介して制御を転送する。
【０１３２】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３や制御部１４等の他の構成要素からの制御、又はＴＲｘ１１やＳＷ１２やＳＷ１３や制御部１４等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１３３】
ＴＲｘ１１やＳＷ１２やＳＷ１３や制御部１４やプロキシ部１５は、ＴＲｘ１１やＳＷ１２やＳＷ１３やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５等の他の構成要素または外部のオペレーションシステム（不図示）やコントローラ（不図示）や外部の装置（不図示）に送付してもよい。
【０１３４】
第２の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。本通信システム構成例において、一部の波長のＴＲｘ１１が複数とそれ以外の波長のＴＲｘ１１がＯＮＵ側から見て後段の装置に接続されていてもよい。他は同様である。
【０１３５】
・第３の通信システム構成例
第３の通信システム構成例は、送受信部（ＴＲｘ）１１と、スイッチ部（ＳＷ）１２と、スイッチ部（ＳＷ）１３と、制御部１４と、サーバ１６と、を備える。
【０１３６】
異なる波長（λＡ〜λＮ）のＴＲｘ１１がＳＷ１２に接続されている。ＴＲｘ１１は自律、又はＳＷ１２やＳＷ１３や制御部１４やサーバ１６等の他の構成要素からの制御、又はＳＷ１２やＳＷ１３や制御部１４やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１３７】
ＳＷ１２がＳＷ１３に接続される。ＳＷ１２は自律、又はＴＲｘ１１やＳＷ１３や制御部１４やサーバ１６等の他の構成要素からの制御、又はＴＲｘ１１やＳＷ１３や制御部１４やサーバ１６等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１３８】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４やサーバ１６等の他の構成要素からの制御、又はＴＲｘ１１やＳＷ１２や制御部１４やサーバ１６等の他の構成要素を介して転送された制御で制御され、ＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１３９】
制御部１４は、ＴＲｘ１１又はＳＷ１２又はＳＷ１３又はサーバ１６又は外部のオペレーションシステム（不図示）やコントローラ（不図示）や外部の装置（不図示）と接続される。制御部１４は、ＴＲｘ１１やＳＷ１２やＳＷ１３やサーバ１６等の他の構成要素を制御、又はＴＲｘ１１やＳＷ１２やＳＷ１３やサーバ１６等の他の構成要素を介して制御を転送する。
【０１４０】
サーバ１６は、ＴＲｘ１１又はＳＷ１２又はＳＷ１３又は制御部１４又は外部のオペレーションシステム（不図示）やコントローラ（不図示）や外部の装置（不図示）と接続される。サーバ１６は、ＴＲｘ１１やＳＷ１２やＳＷ１３や制御部１４等の他の構成要素を制御、又はＴＲｘ１１やＳＷ１２やＳＷ１３や制御部１４等の他の構成要素を介して制御を転送する。
【０１４１】
ＴＲｘ１１やＳＷ１２やＳＷ１３や制御部１４やサーバ１６は、ＴＲｘ１１やＳＷ１２やＳＷ１３やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やサーバ１６等の他の構成要素または外部のオペレーションシステム（不図示）やコントローラ（不図示）や外部の装置（不図示）に送付してもよい。
【０１４２】
第３の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第３の通信システム構成例において、一部の波長のＴＲｘ１１が複数とそれ以外の波長のＴＲｘ１１がＳＷ１２に接続されていてもよい。他は同様である。
【０１４３】
・第４の通信システム構成例
第４の通信システム構成例は、送受信部（ＴＲｘ）１１と、スイッチ部（ＳＷ）１２と、スイッチ部（ＳＷ）１３と、プロキシ部１５と、サーバ１６と、を備える。
【０１４４】
異なる波長（λＡ〜λＮ）のＴＲｘ１１がＳＷ１２に接続されている。ＴＲｘ１１は自律、又はＳＷ１２やＳＷ１３やプロキシ部１５やサーバ１６等の他の構成要素からの制御、又はＳＷ１２やＳＷ１３やプロキシ部１５やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１４５】
ＳＷ１２がＳＷ１３に接続される。ＳＷ１２は自律、又はＴＲｘ１１やＳＷ１３や制御部１４やプロキシ部１５やサーバ１６等の他の構成要素からの制御、又はＴＲｘ１１やＳＷ１３やプロキシ部１５やサーバ１６等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１４６】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２やプロキシ部１５やサーバ１６等の他の構成要素からの制御、又はＴＲｘ１１やＳＷ１２やプロキシ部１５やサーバ１６等の他の構成要素を介して転送された制御で制御され、ＳＷ１２又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１４７】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３やサーバ１６等の他の構成要素からの制御、又はＴＲｘ１１やＳＷ１２やＳＷ１３やサーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１４８】
サーバ１６は、ＴＲｘ１１又はＳＷ１２又はＳＷ１３又はプロキシ部１５又はオペレーションシステム（不図示）やコントローラ（不図示）や外部の装置（不図示）と接続される。サーバ１６は、ＴＲｘ１１やＳＷ１２やＳＷ１３やプロキシ部１５等の他の構成要素を制御、又はＴＲｘ１１やＳＷ１２やＳＷ１３やプロキシ部１５等の他の構成要素を介して制御を転送する。
【０１４９】
ＴＲｘ１１やＳＷ１２やＳＷ１３やプロキシ部１５やサーバ１６は、ＴＲｘ１１やＳＷ１２やＳＷ１３やプロキシ部１５やサーバ１６等の他の構成要素のトラフィックの一部又はその全てそれ自体又はその複写を受けて、受けたトラフィックの一部又はその全て自体又は受けたトラフィックの一部又は全てを書き換えたトラフィック又は受けたトラフィックに対する応答をＴＲｘ１１やＳＷ１２やＳＷ１３やプロキシ部１５やサーバ１６等の他の構成要素又は外部のオペレーションシステム（不図示）やコントローラ（不図示）や外部の装置（不図示）に送付してもよい。
【０１５０】
第４の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第４の通信システム構成例において、一部の波長のＴＲｘ１１が複数とそれ以外の波長のＴＲｘ１１がＳＷ１２に接続されていてもよい。他は同様である。
【０１５１】
・第５の通信システム構成例
第５の通信システム構成例は、送受信部（ＴＲｘ）１１と、スイッチ部（ＳＷ）１２と、制御部１４と、プロキシ部１５と、サーバ１６と、を備える。
【０１５２】
異なる波長（λＡ〜λＮ）のＴＲｘ１１がＳＷ１２に接続されている。ＴＲｘ１１は自律、又はＳＷ１２や制御部１４やプロキシ部１５やサーバ１６等の他の構成要素からの制御、又はＳＷ１２や制御部１４やプロキシ部１５やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１５３】
ＳＷ１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４やプロキシ部１５やサーバ１６等の他の構成要素からの制御、又はＴＲｘ１１や制御部１４やプロキシ部１５やサーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１５４】
制御部１４は、ＴＲｘ１１又はＳＷ１２又はプロキシ部１５又はサーバ１６又は外部のオペレーションシステム（不図示）やコントローラ（不図示）や外部の装置（不図示）と接続される。制御部１４は、ＴＲｘ１１やＳＷ１２やプロキシ部１５やサーバ１６等の他の構成要素を制御、又はＴＲｘ１１やＳＷ１２やプロキシ部１５やサーバ１６等の他の構成要素を介して制御を転送する。
【０１５５】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２や制御部１４やサーバ１６等の他の構成要素からの制御、又はＴＲｘ１１やＳＷ１２や制御部１４やサーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１５６】
サーバ１６は、ＴＲｘ１１又はＳＷ１２又は制御部１４又はプロキシ部１５又は外部のオペレーションシステム（不図示）やコントローラ（不図示）や外部の装置（不図示）と接続される。サーバ１６は、ＴＲｘ１１やＳＷ１２や制御部１４やプロキシ部１５等の他の構成要素を制御、又はＴＲｘ１１やＳＷ１２や制御部１４やプロキシ部１５等の他の構成要素を介して制御を転送する。
【０１５７】
ＴＲｘ１１やＳＷ１２や制御部１４やプロキシ部１５やサーバ１６は、ＴＲｘ１１やＳＷ１２やプロキシ部１５やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５やサーバ１６等の他の構成要素または外部のオペレーションシステム（不図示）やコントローラ（不図示）や外部の装置（不図示）に送付してもよい。
【０１５８】
第５の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第５の通信システム構成例において、一部の波長のＴＲｘ１１が複数とそれ以外の波長のＴＲｘ１１がＳＷ１２に接続されていてもよい。他は同様である。
【０１５９】
・第６の通信システム構成例
第６の通信システム構成例は、送受信部（ＴＲｘ）１１と、スイッチ部（ＳＷ）１３と、制御部１４と、プロキシ部１５と、サーバ１６と、を備える。
【０１６０】
異なる波長（λＡ〜λＮ）のＴＲｘ１１がＳＷ１３に接続されている。ＴＲｘ１１は自律、又はＳＷ１３や制御部１４やプロキシ部１５やサーバ１６等の他の構成要素からの制御、又はＳＷ１３や制御部１４やプロキシ部１５やサーバ１６等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１６１】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４やプロキシ部１５やサーバ１６等の他の構成要素からの制御、又はＴＲｘ１１や制御部１４やプロキシ部１５やサーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１６２】
制御部１４は、ＴＲｘ１１又はＳＷ１３又はプロキシ部１５又はサーバ１６又は外部のオペレーションシステム（不図示）やコントローラ（不図示）や外部の装置（不図示）と接続される。制御部１４は、ＴＲｘ１１やＳＷ１３やプロキシ部１５やサーバ１６等の他の構成要素を制御、又はＴＲｘ１１やＳＷ１３やプロキシ部１５やサーバ１６等の他の構成要素を介して制御を転送する。
【０１６３】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１３や制御部１４やサーバ１６等の他の構成要素からの制御、又はＴＲｘ１１やＳＷ１３や制御部１４やサーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１６４】
サーバ１６は、ＴＲｘ１１又はＳＷ１３又は制御部１４又はプロキシ部１５又は外部のオペレーションシステム（不図示）やコントローラ（不図示）や外部の装置（不図示）と接続される。サーバ１６は、ＴＲｘ１１やＳＷ１３や制御部１４やプロキシ部１５等の他の構成要素を制御、又はＴＲｘ１１やＳＷ１３や制御部１４やプロキシ部１５等の他の構成要素を介して制御を転送する。
【０１６５】
ＴＲｘ１１やＳＷ１３や制御部１４やプロキシ部１５やサーバ１６は、ＴＲｘ１１やＳＷ１３やプロキシ部１５やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５やサーバ１６等の他の構成要素または外部のオペレーションシステム（不図示）やコントローラ（不図示）や外部の装置（不図示）に送付してもよい。
【０１６６】
第６の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第６の通信システム構成例において、一部の波長のＴＲｘ１１が複数とそれ以外の波長のＴＲｘ１１がＳＷ１３に接続されていてもよい。他は同様である。
【０１６７】
・第７の通信システム構成例
第７の通信システム構成例は、送受信部（ＴＲｘ）１１と、スイッチ部（ＳＷ）１２と、スイッチ部（ＳＷ）１３と、制御部１４と、を備える。
【０１６８】
異なる波長（λＡ〜λＮ）のＴＲｘ１１がＳＷ１２に接続されている。ＴＲｘ１１は自律、又はＳＷ１２やＳＷ１３や制御部１４等の他の構成要素からの制御、又はＳＷ１２やＳＷ１３や制御部１４等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１６９】
ＳＷ１２がＳＷ１３に接続される。ＳＷ１２は自律、又はＴＲｘ１１やＳＷ１３や制御部１４等の他の構成要素からの制御、又はＴＲｘ１１やＳＷ１３や制御部１４等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１７０】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２や制御部１４等の他の構成要素からの制御、又はＴＲｘ１１やＳＷ１２や制御部１４等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１７１】
制御部１４は、ＴＲｘ１１又はＳＷ１２又はＳＷ１３又は外部のオペレーションシステム（不図示）やコントローラ（不図示）や外部の装置（不図示）と接続される。制御部１４は、ＴＲｘ１１やＳＷ１２やＳＷ１３等の他の構成要素を制御、又はＴＲｘ１１やＳＷ１２やＳＷ１３等の他の構成要素を介して制御を転送する。ＴＲｘ１１やＳＷ１２やＳＷ１３や制御部１４は、ＴＲｘ１１やＳＷ１２やＳＷ１３等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３等の他の構成要素または外部のオペレーションシステム（不図示）やコントローラ（不図示）や外部の装置（不図示）に送付してもよい。
【０１７２】
第７の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第７の通信システム構成例において、一部の波長のＴＲｘ１１が複数とそれ以外の波長のＴＲｘ１１がＳＷ１２に接続されていてもよい。他は同様である。
【０１７３】
・第８の通信システム構成例
第８の通信システム構成例は、送受信部（ＴＲｘ）１１と、スイッチ部（ＳＷ）１２と、スイッチ部（ＳＷ）１３と、プロキシ部１５と、を備える。
【０１７４】
異なる波長（λＡ〜λＮ）のＴＲｘ１１がＳＷ１２に接続されている。ＴＲｘ１１は自律、又はＳＷ１２やＳＷ１３やプロキシ部１５等の他の構成要素からの制御、又はＳＷ１２やＳＷ１３やプロキシ部１５等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１７５】
ＳＷ１２がＳＷ１３に接続される。ＳＷ１２は自律、又はＴＲｘ１１やＳＷ１３やプロキシ部１５等の他の構成要素からの制御、又はＴＲｘ１１やＳＷ１３やプロキシ部１５等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１７６】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２やプロキシ部１５等の他の構成要素からの制御、又はＴＲｘ１１やＳＷ１２やプロキシ部１５等の他の構成要素を介して転送された制御で制御され、ＳＷ１２又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１７７】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２やＳＷ１３等の他の構成要素からの制御、又はＴＲｘ１１やＳＷ１２やＳＷ１３等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１７８】
ＴＲｘ１１やＳＷ１２やＳＷ１３やプロキシ部１５は、ＴＲｘ１１やＳＷ１２やＳＷ１３やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やプロキシ部１５や等の他の構成要素または外部のオペレーションシステム（不図示）やコントローラ（不図示）や外部の装置（不図示）に送付してもよい。
【０１７９】
第８の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第８通信システム構成例において、一部の波長のＴＲｘ１１が複数とそれ以外の波長のＴＲｘ１１がＳＷ１２に接続されていてもよい。他は同様である。
【０１８０】
・第９の通信システム構成例
第９の通信システム構成例は、送受信部（ＴＲｘ）１１と、スイッチ部（ＳＷ）１２と、制御部１４と、プロキシ部１５と、を備える。
【０１８１】
異なる波長（λＡ〜λＮ）のＴＲｘ１１がＳＷ１２に接続されている。ＴＲｘ１１は自律、又はＳＷ１２や制御部１４やプロキシ部１５や等の他の構成要素からの制御、又はＳＷ１２や制御部１４やプロキシ部１５等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１８２】
ＳＷ１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４やプロキシ部１５等の他の構成要素からの制御、又はＴＲｘ１１や制御部１４やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１８３】
制御部１４は、ＴＲｘ１１又はＳＷ１２又はプロキシ部１５又は外部のオペレーションシステム（不図示）やコントローラ（不図示）や外部の装置（不図示）と接続される。制御部１４は、ＴＲｘ１１やＳＷ１２やプロキシ部１５等の他の構成要素を制御、又はＴＲｘ１１やＳＷ１２やプロキシ部１５等の他の構成要素を介して制御を転送する。
【０１８４】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２や制御部１４等の他の構成要素からの制御、又はＴＲｘ１１やＳＷ１２や制御部１４等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１８５】
ＴＲｘ１１やＳＷ１２や制御部１４やプロキシ部１５は、ＴＲｘ１１やＳＷ１２やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５等の他の構成要素または外部のオペレーションシステム（不図示）やコントローラ（不図示）や外部の装置（不図示）に送付してもよい。
【０１８６】
第９の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第９の通信システム構成例において、一部の波長のＴＲｘ１１が複数とそれ以外の波長のＴＲｘ１１がＳＷ１２に接続されていてもよい。他は同様である。
【０１８７】
・第１０の通信システム構成例
第１０の通信システム構成例は、送受信部（ＴＲｘ）１１と、スイッチ部（ＳＷ）１３制御部１４と、プロキシ部１５と、を備える。異なる波長（λＡ〜λＮ）のＴＲｘ１１がＳＷ１３に接続されている。
【０１８８】
ＴＲｘ１１は自律、又はＳＷ１３や制御部１４やプロキシ部１５等の他の構成要素からの制御、又はＳＷ１３や制御部１４やプロキシ部１５等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１８９】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４やプロキシ部１５等の他の構成要素からの制御、又はＴＲｘ１１や制御部１４やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９０】
制御部１４は、ＴＲｘ１１又はＳＷ１３又はプロキシ部１５又は外部のオペレーションシステム（不図示）やコントローラ（不図示）や外部の装置（不図示）と接続される。制御部１４は、ＴＲｘ１１やＳＷ１３やプロキシ部１５等の他の構成要素を制御、又はＴＲｘ１１やＳＷ１３やプロキシ部１５等の他の構成要素を介して制御を転送する。
【０１９１】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１３や制御部１４等の他の構成要素からの制御、又はＴＲｘ１１やＳＷ１３や制御部１４等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９２】
ＴＲｘ１１やＳＷ１３や制御部１４やプロキシ部１５は、ＴＲｘ１１やＳＷ１３やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５等の他の構成要素または外部のオペレーションシステム（不図示）やコントローラ（不図示）や外部の装置（不図示）に送付してもよい。
【０１９３】
第１０の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１０の通信システム構成例において、一部の波長のＴＲｘ１１が複数とそれ以外の波長のＴＲｘ１１がＳＷ１３に接続されていてもよい。他は同様である。
【０１９４】
・第１１の通信システム構成例
第１１の通信システム構成例は、送受信部（ＴＲｘ）１１と、スイッチ部（ＳＷ）１２と、スイッチ部（ＳＷ）１３と、サーバ１６と、を備える。
【０１９５】
異なる波長（λＡ〜λＮ）のＴＲｘ１１がＳＷ１２に接続されている。ＴＲｘ１１は自律、又はＳＷ１２やＳＷ１３やサーバ１６等の他の構成要素からの制御、又はＳＷ１２やＳＷ１３やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０１９６】
ＳＷ１２がＳＷ１３に接続される。ＳＷ１２は自律、又はＴＲｘ１１やＳＷ１３やサーバ１６等の他の構成要素からの制御、又はＴＲｘ１１やＳＷ１３やサーバ１６等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９７】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２やサーバ１６等の他の構成要素からの制御、又はＴＲｘ１１やＳＷ１２やサーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０１９８】
サーバ１６は、ＴＲｘ１１又はＳＷ１２又はＳＷ１３又は外部のオペレーションシステム（不図示）やコントローラ（不図示）や外部の装置（不図示）と接続される。サーバ１６は、ＴＲｘ１１やＳＷ１２やＳＷ１３等の他の構成要素を制御、又はＴＲｘ１１やＳＷ１２やＳＷ１３等の他の構成要素を介して制御を転送する。
【０１９９】
ＴＲｘ１１やＳＷ１２やＳＷ１３やサーバ１６は、ＴＲｘ１１やＳＷ１２やＳＷ１３やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３やサーバ１６等の他の構成要素または外部のオペレーションシステム（不図示）やコントローラ（不図示）や外部の装置（不図示）に送付してもよい。
【０２００】
第１１の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第１１の通信システム構成例において、一部の波長のＴＲｘ１１が複数とそれ以外の波長のＴＲｘ１１がＳＷ１２に接続されていてもよい。他は同様である。
【０２０１】
・第１２の通信システム構成例
第１２の通信システム構成例は、送受信部（ＴＲｘ）１１と、スイッチ部（ＳＷ）１２と、制御部１４と、サーバ１６と、を備える。
【０２０２】
異なる波長（λＡ〜λＮ）のＴＲｘ１１がＳＷ１２に接続されている。ＴＲｘ１１は自律、又はＳＷ１２や制御部１４やサーバ１６等の他の構成要素からの制御、又はＳＷ１２や制御部１４やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２０３】
ＳＷ１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４やサーバ１６等の他の構成要素からの制御、又はＴＲｘ１１や制御部１４やサーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２０４】
制御部１４は、ＴＲｘ１１又はＳＷ１２又はサーバ１６又は外部のオペレーションシステム（不図示）やコントローラ（不図示）や外部の装置（不図示）と接続される。制御部１４は、ＴＲｘ１１やＳＷ１２やサーバ１６等の他の構成要素を制御、又はＴＲｘ１１やＳＷ１２やサーバ１６等の他の構成要素を介して制御を転送する。
【０２０５】
サーバ１６は、ＴＲｘ１１又はＳＷ１２又は制御部１４又は外部のオペレーションシステム（不図示）やコントローラ（不図示）や外部の装置（不図示）と接続される。サーバ１６は、ＴＲｘ１１やＳＷ１２や制御部１４等の他の構成要素を制御、又はＴＲｘ１１やＳＷ１２や制御部１４等の他の構成要素を介して制御を転送する。
【０２０６】
ＴＲｘ１１やＳＷ１２や制御部１４やサーバ１６は、ＴＲｘ１１やＳＷ１２やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やサーバ１６等の他の構成要素または外部のオペレーションシステム（不図示）やコントローラ（不図示）や外部の装置（不図示）に送付してもよい。
【０２０７】
第１２の通信システム構成１２例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第１２の通信システム構成例において、一部の波長のＴＲｘ１１が複数とそれ以外の波長のＴＲｘ１１がＳＷ１２に接続されていてもよい。他は同様である。
【０２０８】
・第１３の通信システム構成例
第１３の通信システム構成例は、送受信部（ＴＲｘ）１１と、スイッチ部（ＳＷ）１３と、制御部１４と、サーバ１６と、を備える。
【０２０９】
異なる波長（λＡ〜λＮ）のＴＲｘ１１がＳＷ１３に接続されている。ＴＲｘ１１は自律、又はＳＷ１３や制御部１４やサーバ１６等の他の構成要素からの制御、又はＳＷ１３や制御部１４やサーバ１６等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２１０】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４やサーバ１６等の他の構成要素からの制御、又はＴＲｘ１１や制御部１４やサーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２１１】
制御部１４は、ＴＲｘ１１又はＳＷ１３又はサーバ１６又は外部のオペレーションシステム（不図示）やコントローラ（不図示）や外部の装置（不図示）と接続される。制御部１４は、ＴＲｘ１１やＳＷ１３やサーバ１６等の他の構成要素を制御、又はＴＲｘ１１やＳＷ１３やサーバ１６等の他の構成要素を介して制御を転送する。
【０２１２】
サーバ１６は、ＴＲｘ１１又はＳＷ１３又は制御部１４又は外部のオペレーションシステム（不図示）やコントローラ（不図示）や外部の装置（不図示）と接続される。サーバ１６は、ＴＲｘ１１やＳＷ１３や制御部１４等の他の構成要素を制御、又はＴＲｘ１１やＳＷ１３や制御部１４等の他の構成要素を介して制御を転送する。
【０２１３】
ＴＲｘ１１やＳＷ１３や制御部１４やサーバ１６は、ＴＲｘ１１やＳＷ１３やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やサーバ１６等の他の構成要素または外部のオペレーションシステム（不図示）やコントローラ（不図示）や外部の装置（不図示）に送付してもよい。
【０２１４】
第１３の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１３の通信システム構成例において、一部の波長のＴＲｘ１１が複数とそれ以外の波長のＴＲｘ１１がＳＷ１３に接続されていてもよい。他は同様である。
【０２１５】
・第１４の通信システム構成例
第１４の通信システム構成例は、送受信部（ＴＲｘ）１１と、スイッチ部（ＳＷ）１２と、プロキシ部１５と、サーバ１６と、を備える。
【０２１６】
異なる波長（λＡ〜λＮ）のＴＲｘ１１がＳＷ１２に接続されている。ＴＲｘ１１は自律、又はＳＷ１２やプロキシ部１５やサーバ１６等の他の構成要素からの制御、又はＳＷ１２やプロキシ部１５やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２１７】
ＳＷ１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１やプロキシ部１５やサーバ１６等の他の構成要素からの制御、又はＴＲｘ１１やプロキシ部１５やサーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２１８】
プロキシ部１５は自律、又はＴＲｘ１１やＳＷ１２やサーバ１６等の他の構成要素からの制御、又はＴＲｘ１１やＳＷ１２やサーバ１６等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２１９】
サーバ１６は、ＴＲｘ１１又はＳＷ１２又はプロキシ部１５又は外部のオペレーションシステム（不図示）やコントローラ（不図示）や外部の装置（不図示）と接続される。サーバ１６は、ＴＲｘ１１やＳＷ１２やプロキシ部１５等の他の構成要素を制御、又はＴＲｘ１１やＳＷ１２やプロキシ部１５等の他の構成要素を介して制御を転送する。
【０２２０】
ＴＲｘ１１やＳＷ１２やプロキシ部１５やサーバ１６は、ＴＲｘ１１やＳＷ１２やプロキシ部１５やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５やサーバ１６等の他の構成要素または外部のオペレーションシステム（不図示）やコントローラ（不図示）や外部の装置（不図示）に送付してもよい。
【０２２１】
第１４の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第１４の通信システム構成例において、一部の波長のＴＲｘ１１が複数とそれ以外の波長のＴＲｘ１１がＳＷ１２に接続されていてもよい。他は同様である。
【０２２２】
・第１５の通信システム構成例
第１５の通信システム構成例は、送受信部（ＴＲｘ）１１と、スイッチ部（ＳＷ）１３と、プロキシ部１５と、サーバ１６と、を備える。
【０２２３】
異なる波長（λＡ〜λＮ）のＴＲｘ１１がＳＷ１３に接続されている。ＴＲｘ１１は自律、又はＳＷ１３やプロキシ部１５やサーバ１６等の他の構成要素からの制御、又はＳＷ１３やプロキシ部１５やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２２４】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やプロキシ部１５やサーバ１６等の他の構成要素からの制御、又はＴＲｘ１１やプロキシ部１５やサーバ１６等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２２５】
プロキシ部１５は自律、又はＴＲｘ１１やＳＷ１３やサーバ１６等の他の構成要素からの制御、又はＴＲｘ１１やＳＷ１３やサーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２２６】
サーバ１６は、ＴＲｘ１１又はＳＷ１３又はプロキシ部１５又は外部のオペレーションシステム（不図示）やコントローラ（不図示）や外部の装置（不図示）と接続される。サーバ１６は、ＴＲｘ１１やＳＷ１３やプロキシ部１５等の他の構成要素を制御、又はＴＲｘ１１やＳＷ１３やプロキシ部１５等の他の構成要素を介して制御を転送する。
【０２２７】
ＴＲｘ１１やＳＷ１３やプロキシ部１５やサーバ１６は、ＴＲｘ１１やＳＷ１３やプロキシ部１５やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５やサーバ１６等の他の構成要素または外部のオペレーションシステム（不図示）やコントローラ（不図示）や外部の装置（不図示）に送付してもよい。
【０２２８】
第１５の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１５の通信システム構成例において、一部の波長のＴＲｘ１１が複数とそれ以外の波長のＴＲｘ１１がＳＷ１３に接続されていてもよい。他は同様である。
【０２２９】
・第１６の通信システム構成例
第１６の通信システム構成例は、送受信部（ＴＲｘ）１１と、制御部１４と、プロキシ部１５と、サーバ１６と、を備える。
【０２３０】
異なる波長（λＡ〜λＮ）のＴＲｘ１１がプロキシ部１５に直接、又は複数のＯＬＴから／へのトラフィックを集約や分配や振分や複製や折返や透過の少なくとも一部をする集線ＳＷ等を介して接続されている。ＴＲｘ１１は自律、又は制御部１４やプロキシ部１５やサーバ１６等の他の構成要素からの制御、又は制御部１４やプロキシ部１５やサーバ１６等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２３１】
制御部１４は、ＴＲｘ１１又はプロキシ部１５又はサーバ１６又は外部のオペレーションシステム（不図示）やコントローラ（不図示）や外部の装置（不図示）と接続される。制御部１４は、ＴＲｘ１１やプロキシ部１５やサーバ１６等の他の構成要素を制御、又はＴＲｘ１１やプロキシ部１５やサーバ１６等の他の構成要素を介して制御を転送する。
【０２３２】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１や制御部１４やサーバ１６等の他の構成要素からの制御、又はＴＲｘ１１や制御部１４やサーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２３３】
サーバ１６は、ＴＲｘ１１又は制御部１４又はプロキシ部１５又は外部のオペレーションシステム（不図示）やコントローラ（不図示）や外部の装置（不図示）と接続される。サーバ１６は、ＴＲｘ１１や制御部１４やプロキシ部１５等の他の構成要素を制御、又はＴＲｘ１１や制御部１４やプロキシ部１５等の他の構成要素を介して制御を転送する。
【０２３４】
ＴＲｘ１１や制御部１４やプロキシ部１５やサーバ１６は、ＴＲｘ１１やプロキシ部１５やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やプロキシ部１５やサーバ１６等の他の構成要素または外部のオペレーションシステム（不図示）やコントローラ（不図示）や外部の装置（不図示）に送付してもよい。
【０２３５】
第１６の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴから／へのトラフィックを集約や分配や振分や複製や折返や透過の少なくとも一部をする集線ＳＷ等を介して接続されていてもよい。第１６の通信システム構成例において、一部の波長のＴＲｘ１１が複数とそれ以外の波長のＴＲｘ１１がプロキシ部１５に直接、又は複数のＯＬＴから／へのトラフィックを集約や分配や振分や複製や折返や透過の少なくとも一部をする集線ＳＷ等を介して接続されていてもよい。他は同様である。
【０２３６】
・第１７の通信システム構成例
第１７の通信システム構成例は、送受信部（ＴＲｘ）１１と、スイッチ部（ＳＷ）１２と、スイッチ部（ＳＷ）１３と、を備える。
【０２３７】
異なる波長（λＡ〜λＮ）のＴＲｘ１１がＳＷ１２に接続されている。ＴＲｘ１１は自律、又はＳＷ１２やＳＷ１３等の他の構成要素からの制御、又はＳＷ１２やＳＷ１３等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２３８】
ＳＷ１２がＳＷ１３に接続される。ＳＷ１２は自律、又はＴＲｘ１１やＳＷ１３等の他の構成要素からの制御、又はＴＲｘ１１やＳＷ１３等の他の構成要素を介して転送された制御で制御され、ＴＲｘ１１又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２３９】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やＳＷ１２等の他の構成要素からの制御、又はＴＲｘ１１やＳＷ１２等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２４０】
ＴＲｘ１１やＳＷ１２やＳＷ１３は、ＴＲｘ１１やＳＷ１２やＳＷ１３等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やＳＷ１３等の他の構成要素または外部のオペレーションシステム（不図示）やコントローラ（不図示）や外部の装置（不図示）に送付してもよい。
【０２４１】
第１７の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されている。第１７の通信システム構成例において、一部の波長のＴＲｘ１１が複数とそれ以外の波長のＴＲｘ１１がＳＷ１２に接続されていてもよい。他は同様である。
【０２４２】
・第１８の通信システム構成例
第１８の通信システム構成例は、送受信部（ＴＲｘ）１１と、スイッチ部（ＳＷ）１２と、制御部１４と、を備える。
【０２４３】
異なる波長（λＡ〜λＮ）のＴＲｘ１１がＳＷ１２に接続されている。ＴＲｘ１１は自律、又はＳＷ１２や制御部１４等の他の構成要素からの制御、又はＳＷ１２や制御部１４等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２４４】
ＳＷ１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１や制御部１４等の他の構成要素からの制御、又はＴＲｘ１１や制御部１４等の他の構成要素を介して転送された制御で制御され、ＴＲｘ１１のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２４５】
制御部１４は、ＴＲｘ１１又はＳＷ１２又は外部のオペレーションシステム（不図示）やコントローラ（不図示）や外部の装置（不図示）と接続される。制御部１４は、ＴＲｘ１１やＳＷ１２等の他の構成要素を制御、又はＴＲｘ１１やＳＷ１２等の他の構成要素を介して制御を転送する。
【０２４６】
ＴＲｘ１１やＳＷ１２や制御部１４は、ＴＲｘ１１やＳＷ１２等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２等の他の構成要素または外部のオペレーションシステム（不図示）やコントローラ（不図示）や外部の装置（不図示）に送付してもよい。
【０２４７】
第１８の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第１８の通信システム構成例において、一部の波長のＴＲｘ１１が複数とそれ以外の波長のＴＲｘ１１がＳＷ１２に接続されていてもよい。他は同様である。
【０２４８】
・第１９の通信システム構成例
第１９の通信システム構成例は、送受信部（ＴＲｘ）１１と、スイッチ部（ＳＷ）１３と、制御部１４と、を備える。異なる波長（λＡ〜λＮ）のＴＲｘ１１がＳＷ１３に接続されている。ＴＲｘ１１は自律、又はＳＷ１３や制御部１４等の他の構成要素からの制御、又はＳＷ１３や制御部１４等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２４９】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１や制御部１４等の他の構成要素からの制御、又はＴＲｘ１１や制御部１４等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２５０】
制御部１４は、ＴＲｘ１１又はＳＷ１３又は外部のオペレーションシステム（不図示）やコントローラ（不図示）や外部の装置（不図示）と接続される。制御部１４は、ＴＲｘ１１やＳＷ１３等の他の構成要素を制御、又はＴＲｘ１１やＳＷ１３等の他の構成要素を介して制御を転送する。
【０２５１】
ＴＲｘ１１やＳＷ１３や制御部１４は、ＴＲｘ１１やＳＷ１３や等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３等の他の構成要素または外部のオペレーションシステム（不図示）やコントローラ（不図示）や外部の装置（不図示）に送付してもよい。
【０２５２】
第１９の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第１９の通信システム構成例において、一部の波長のＴＲｘ１１が複数とそれ以外の波長のＴＲｘ１１がＳＷ１３に接続されていてもよい。他は同様である。
【０２５３】
・第２０の通信システム構成例
第２０の通信システム構成例は、送受信部（ＴＲｘ）１１と、スイッチ部（ＳＷ）１２と、プロキシ部１５と、を備える。
【０２５４】
異なる波長（λＡ〜λＮ）のＴＲｘ１１がＳＷ１２に接続されている。ＴＲｘ１１は自律、又はＳＷ１２やプロキシ部１５等の他の構成要素からの制御、又はＳＷ１２やプロキシ部１５等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２５５】
ＳＷ１２がプロキシ部１５に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１やプロキシ部１５等の他の構成要素からの制御、又はＴＲｘ１１やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２５６】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１２等の他の構成要素からの制御、又はＴＲｘ１１やＳＷ１２等の他の構成要素を介して転送された制御で制御され、ＳＷ１２又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２５７】
ＴＲｘ１１やＳＷ１２やプロキシ部１５は、ＴＲｘ１１やＳＷ１２やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やプロキシ部１５等の他の構成要素または外部のオペレーションシステム（不図示）やコントローラ（不図示）や外部の装置（不図示）に送付してもよい。
【０２５８】
第２０の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第２０の通信システム構成例において、一部の波長のＴＲｘ１１が複数とそれ以外の波長のＴＲｘ１１がＳＷ１２に接続されていてもよい。他は同様である。
【０２５９】
・第２１の通信システム構成例
第２１の通信システム構成例は、送受信部（ＴＲｘ）１１と、スイッチ部（ＳＷ）１３と、プロキシ部１５と、と、を備える。
【０２６０】
異なる波長（λＡ〜λＮ）のＴＲｘ１１がＳＷ１３に接続されている。ＴＲｘ１１は自律、又はＳＷ１３やプロキシ部１５等の他の構成要素からの制御、又はＳＷ１３やプロキシ部１５等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２６１】
ＳＷ１３はプロキシ部１５に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やプロキシ部１５等の他の構成要素からの制御、又はＴＲｘ１１やプロキシ部１５等の他の構成要素を介して転送された制御で制御され、ＴＲｘ１１又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２６２】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１やＳＷ１３等の他の構成要素からの制御、又はＴＲｘ１１やＳＷ１３等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２６３】
ＴＲｘ１１やＳＷ１３やプロキシ部１５は、ＴＲｘ１１やＳＷ１３やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やプロキシ部１５等の他の構成要素または外部のオペレーションシステム（不図示）やコントローラ（不図示）や外部の装置（不図示）に送付してもよい。
【０２６４】
第２１の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第２１の通信システム構成例において、一部の波長のＴＲｘ１１が複数とそれ以外の波長のＴＲｘ１１がＳＷ１３に接続されていてもよい。他は同様である。
【０２６５】
・第２２の通信システム構成例
第２２の通信システム構成例は、送受信部（ＴＲｘ）１１と、制御部１４と、プロキシ部１５と、を備える。
【０２６６】
異なる波長（λＡ〜λＮ）のＴＲｘ１１がプロキシ部１５に直接、又は複数のＯＬＴから／へのトラフィックを集約や分配や振分や複製や折返や透過の少なくとも一部をする集線ＳＷ等を介して接続されている。ＴＲｘ１１は自律、又は制御部１４やプロキシ部１５等の他の構成要素からの制御、又は制御部１４やプロキシ部１５等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２６７】
制御部１４は、ＴＲｘ１１又はプロキシ部１５又は外部のオペレーションシステム（不図示）やコントローラ（不図示）や外部の装置（不図示）と接続される。制御部１４は、ＴＲｘ１１やプロキシ部１５等の他の構成要素を制御、又はＴＲｘ１１やプロキシ部１５等の他の構成要素を介して制御を転送する。
【０２６８】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又はＴＲｘ１１や制御部１４等の他の構成要素からの制御、又はＴＲｘ１１や制御部１４や等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２６９】
ＴＲｘ１１や制御部１４やプロキシ部１５は、ＴＲｘ１１やプロキシ部１５や等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１プロキシ部１５等の他の構成要素または外部のオペレーションシステム（不図示）やコントローラ（不図示）や外部の装置（不図示）に送付してもよい。
【０２７０】
第２２の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴから／へのトラフィックを集約や分配や振分や複製や折返や透過の少なくとも一部をする集線ＳＷ等を介して接続されていてもよい。第２２の通信システム構成例において、一部の波長のＴＲｘ１１が複数とそれ以外の波長のＴＲｘ１１がプロキシ部１５に直接、又は複数のＯＬＴから／へのトラフィックを集約や分配や振分や複製や折返や透過の少なくとも一部をする集線ＳＷ等を介して接続されていてもよい。他は同様である。
【０２７１】
・第２３の通信システム構成例
第２３の通信システム構成例は、送受信部（ＴＲｘ）１１と、スイッチ部（ＳＷ）１２と、サーバ１６と、を備える。
【０２７２】
異なる波長（λＡ〜λＮ）のＴＲｘ１１がＳＷ１２に接続されている。ＴＲｘ１１は自律、又はＳＷ１２やサーバ１６等の他の構成要素からの制御、又はＳＷ１２やサーバ１６等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２７３】
ＳＷ１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１やサーバ１６等の他の構成要素からの制御、又はＴＲｘ１１やサーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２７４】
サーバ１６は、ＴＲｘ１１又はＳＷ１２又は外部のオペレーションシステム（不図示）やコントローラ（不図示）や外部の装置（不図示）と接続される。サーバ１６は、ＴＲｘ１１やＳＷ１２等の他の構成要素を制御、又はＴＲｘ１１やＳＷ１２等の他の構成要素を介して制御を転送する。
【０２７５】
ＴＲｘ１１やＳＷ１２やサーバ１６は、ＴＲｘ１１やＳＷ１２やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２やサーバ１６等の他の構成要素または外部のオペレーションシステム（不図示）やコントローラ（不図示）や外部の装置（不図示）に送付してもよい。
【０２７６】
第２３の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第２３の通信システム構成例において、一部の波長のＴＲｘ１１が複数とそれ以外の波長のＴＲｘ１１がＳＷ１２に接続されていてもよい。他は同様である。
【０２７７】
・第２４の通信システム構成例
第２４の通信システム構成例は、送受信部（ＴＲｘ）１１と、スイッチ部（ＳＷ）１３と、サーバ１６と、を備える。
【０２７８】
異なる波長（λＡ〜λＮ）のＴＲｘ１１がＳＷ１３に接続されている。ＴＲｘ１１は自律、又はＳＷ１３やサーバ１６等の他の構成要素からの制御、又はＳＷ１３やサーバ１６等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２７９】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１やサーバ１６等の他の構成要素からの制御、又はＴＲｘ１１やサーバ１６等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２８０】
サーバ１６は、ＴＲｘ１１又はＳＷ１３又は外部のオペレーションシステム（不図示）やコントローラ（不図示）や外部の装置（不図示）と接続される。サーバ１６は、ＴＲｘ１１やＳＷ１３等の他の構成要素を制御、又はＴＲｘ１１やＳＷ１３等の他の構成要素を介して制御を転送する。
【０２８１】
ＴＲｘ１１やＳＷ１３やサーバ１６は、ＴＲｘ１１やＳＷ１３やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３やサーバ１６等の他の構成要素または外部のオペレーションシステム（不図示）やコントローラ（不図示）や外部の装置（不図示）に送付してもよい。
【０２８２】
第２４の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されている。第２４の通信システム構成例において、一部の波長のＴＲｘ１１が複数とそれ以外の波長のＴＲｘ１１がＳＷ１３に接続されていてもよい。他は同様である。
【０２８３】
・第２５の通信システム構成例
第２５の通信システム構成例は、送受信部（ＴＲｘ）１１と、制御部１４と、サーバ１６と、を備える。
【０２８４】
異なる波長（λＡ〜λＮ）のＴＲｘ１１が上位側の装置（不図示）に直接、又は複数のＯＬＴから／へのトラフィックを集約や分配や振分や複製や折返や透過の少なくとも一部をする集線ＳＷ等を介して接続されている。ＴＲｘ１１は自律、又は制御部１４やサーバ１６等の他の構成要素からの制御、又は制御部１４やサーバ１６等の他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２８５】
制御部１４は、ＴＲｘ１１又はサーバ１６又は外部のオペレーションシステム（不図示）やコントローラ（不図示）や外部の装置（不図示）と接続される。制御部１４は、ＴＲｘ１１やサーバ１６等の他の構成要素を制御、又はＴＲｘ１１やサーバ１６等の他の構成要素を介して制御を転送する。
【０２８６】
サーバ１６は、ＴＲｘ１１又は制御部１４又は外部のオペレーションシステム（不図示）やコントローラ（不図示）や外部の装置（不図示）と接続される。サーバ１６は、ＴＲｘ１１や制御部１４等の他の構成要素を制御、又はＴＲｘ１１や制御部１４等の他の構成要素を介して制御を転送する。
【０２８７】
ＴＲｘ１１や制御部１４やサーバ１６は、ＴＲｘ１１やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やサーバ１６等の他の構成要素または外部のオペレーションシステム（不図示）やコントローラ（不図示）や外部の装置（不図示）に送付してもよい。
【０２８８】
第２５の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴから／へのトラフィックを集約や分配や振分や複製や折返や透過の少なくとも一部をする集線ＳＷ等を介して接続されていてもよい。第２５の通信システム構成例において、一部の波長のＴＲｘ１１が複数とそれ以外の波長のＴＲｘ１１が上位側の装置（不図示）に直接、又は複数のＯＬＴから／へのトラフィックを集約や分配や振分や複製や折返や透過の少なくとも一部をする集線ＳＷ等を介して接続されていてもよい。他は同様である。
【０２８９】
・第２６の通信システム構成例
第２６の通信システム構成例は、送受信部（ＴＲｘ）１１と、プロキシ部１５と、サーバ１６と、を備える。
【０２９０】
異なる波長（λＡ〜λＮ）のＴＲｘ１１がプロキシ部１５に直接、又は複数のＯＬＴから／へのトラフィックを集約や分配や振分や複製や折返や透過の少なくとも一部をする集線ＳＷ等を介して接続されている。ＴＲｘ１１は自律、又はプロキシ部１５やサーバ１６等の他の構成要素からの制御、又はプロキシ部１５やサーバ１６等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２９１】
プロキシ部１５は自律、又はＴＲｘ１１やサーバ１６等の他の構成要素からの制御、又はＴＲｘ１１やサーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２９２】
サーバ１６は、ＴＲｘ１１又はプロキシ部１５又は外部のオペレーションシステム（不図示）やコントローラ（不図示）や外部の装置（不図示）と接続される。サーバ１６は、ＴＲｘ１１やプロキシ部１５等の他の構成要素を制御、又はＴＲｘ１１やプロキシ部１５等の他の構成要素を介して制御を転送する。
【０２９３】
ＴＲｘ１１やプロキシ部１５やサーバ１６は、ＴＲｘ１１やプロキシ部１５やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やプロキシ部１５やサーバ１６等の他の構成要素または外部のオペレーションシステム（不図示）やコントローラ（不図示）や外部の装置（不図示）に送付してもよい。
【０２９４】
第２６の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴから／へのトラフィックを集約や分配や振分や複製や折返や透過の少なくとも一部をする集線ＳＷ等を介して接続されていてもよい。第２６の通信システム構成例において、一部の波長のＴＲｘ１１が複数とそれ以外の波長のＴＲｘ１１がプロキシ部１５に直接、又は複数のＯＬＴから／へのトラフィックを集約や分配や振分や複製や折返や透過の少なくとも一部をする集線ＳＷ等を介して接続されていてもよい。他は同様である。
【０２９５】
・第２７の通信システム構成例
第２７の通信システム構成例は、送受信部（ＴＲｘ）１１と、スイッチ部（ＳＷ）１２と、を備える。
【０２９６】
異なる波長（λＡ〜λＮ）のＴＲｘ１１がＳＷ１２に接続されている。ＴＲｘ１１は自律、又はＳＷ１２等の他の構成要素からの制御、又はＳＷ１２等の他の構成要素を介して転送された制御で制御され、ＯＤＮ又はＳＷ１２のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０２９７】
ＳＷ１２が上位側の装置（不図示）に直接、又は複数のＯＬＴから／へのトラフィックを集約や分配や振分や複製や折返や透過の少なくとも一部をする集線ＳＷ等を介して接続される。ＳＷ１２は自律、又はＴＲｘ１１等の他の構成要素からの制御、又はＴＲｘ１１等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０２９８】
ＴＲｘ１１やＳＷ１２は、ＴＲｘ１１やＳＷ１２等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１２等の他の構成要素または外部のオペレーションシステム（不図示）やコントローラ（不図示）や外部の装置（不図示）に送付してもよい。
【０２９９】
第２７の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１２に接続されていてもよい。第２７の通信システム構成例において、一部の波長のＴＲｘ１１が複数とそれ以外の波長のＴＲｘ１１がＳＷ１２に接続されていてもよい。他は同様である。
【０３００】
・第２８の通信システム構成例
第２８の通信システム構成例は、送受信部（ＴＲｘ）１１と、スイッチ部（ＳＷ）１３と、を備える。
【０３０１】
異なる波長（λＡ〜λＮ）のＴＲｘ１１がＳＷ１３に接続されている。ＴＲｘ１１は自律、又はＳＷ１３等の他の構成要素からの制御、又はＳＷ１３等の他の構成要素を介して転送された制御で制御され、ＯＤＮ又はＳＷ１３のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０３０２】
ＳＷ１３は上位側の装置（不図示）に直接、又は複数のＯＬＴから／へのトラフィックを集約や分配や振分や複製や折返や透過の少なくとも一部をする集線ＳＷ等を介して接続される。ＳＷ１３は自律、又はＴＲｘ１１等の他の構成要素からの制御、又はＴＲｘ１１等の他の構成要素を介して転送された制御で制御され、ＴＲｘ１１又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３０３】
ＴＲｘ１１やＳＷ１３は、ＴＲｘ１１やＳＷ１３等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やＳＷ１３等の他の構成要素または外部のオペレーションシステム（不図示）やコントローラ（不図示）や外部の装置（不図示）に送付してもよい。
【０３０４】
第２８の通信システム構成例において、同一の波長のＴＲｘ１１（λＡ〜λＡ）、ＴＲｘ１１（λＢ〜λＢ）、・・・、ＴＲｘ１１（λＮ〜λＮ）がＳＷ１３に接続されていてもよい。第２８の通信システム構成例において、一部の波長のＴＲｘ１１が複数とそれ以外の波長のＴＲｘ１１がＳＷ１３に接続されていてもよい。他は同様である。
【０３０５】
・第２９の通信システム構成例
第２９の通信システム構成例は、送受信部（ＴＲｘ）１１と、制御部１４と、を備える。
【０３０６】
異なる波長（λＡ〜λＮ）のＴＲｘ１１が上位側の装置（不図示）に直接、又は複数のＯＬＴから／へのトラフィックを集約や分配や振分や複製や折返や透過の少なくとも一部をする集線ＳＷ等を介して接続されている。ＴＲｘ１１は自律、又は制御部１４等の他の構成要素からの制御、又は制御部１４等の他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０３０７】
制御部１４は、ＴＲｘ１１又は外部のオペレーションシステム（不図示）やコントローラ（不図示）や外部の装置（不図示）と接続される。制御部１４は、ＴＲｘ１１等の他の構成要素を制御、又はＴＲｘ１１等の他の構成要素を介して制御を転送する。
【０３０８】
ＴＲｘ１１や制御部１４は、ＴＲｘ１１の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１等の他の構成要素または外部のオペレーションシステム（不図示）やコントローラ（不図示）や外部の装置（不図示）に送付してもよい。
【０３０９】
第２９の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴから／へのトラフィックを集約や分配や振分や複製や折返や透過の少なくとも一部をする集線ＳＷ等を介して接続されていてもよい。第２９の通信システム構成例において、一部の波長のＴＲｘ１１が複数とそれ以外の波長のＴＲｘ１１が上位側の装置（不図示）に直接、又は複数のＯＬＴから／へのトラフィックを集約や分配や振分や複製や折返や透過の少なくとも一部をする集線ＳＷ等を介して接続されていてもよい。他は同様である。
【０３１０】
・第３０の通信システム構成例
第３０の通信システム構成例は、送受信部（ＴＲｘ）１１と、プロキシ部１５と、を備える。
【０３１１】
異なる波長（λＡ〜λＮ）のＴＲｘ１１がプロキシ部１５に直接、又は複数のＯＬＴから／へのトラフィックを集約や分配や振分や複製や折返や透過の少なくとも一部をする集線ＳＷ等を介して接続されている。ＴＲｘ１１は自律、又はプロキシ部１５等の他の構成要素からの制御、又はプロキシ部１５等の他の構成要素を介して転送された制御で制御され、ＯＤＮ又はプロキシ部１５のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０３１２】
プロキシ部１５は自律、又はＴＲｘ１１やＳＷ１２やＳＷ１３や制御部１４やサーバ１６等の他の構成要素からの制御、又はＴＲｘ１１やＳＷ１２やＳＷ１３や制御部１４やサーバ１６等の他の構成要素を介して転送された制御で制御され、ＳＷ１３又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一部またはその組み合わせで処理する。
【０３１３】
ＴＲｘ１１やプロキシ部１５は、ＴＲｘ１１やプロキシ部１５等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やプロキシ部１５等の他の構成要素または外部のオペレーションシステム（不図示）やコントローラ（不図示）や外部の装置（不図示）に送付してもよい。
【０３１４】
第３０の通信システム構成例において、同一の波長のＴＲｘ１１（λＡ〜λＡ）、ＴＲｘ１１（λＢ〜λＢ）、・・・、ＴＲｘ１１（λＮ〜λＮ）がプロキシ部１５に直接、又は複数のＯＬＴから／へのトラフィックを集約や分配や振分や複製や折返や透過の少なくとも一部をする集線ＳＷ等を介して接続されていてもよい。第３０の通信システム構成例において、一部の波長のＴＲｘ１１が複数とそれ以外の波長のＴＲｘ１１がプロキシ部１５に直接、又は複数のＯＬＴから／へのトラフィックを集約や分配や振分や複製や折返や透過の少なくとも一部をする集線ＳＷ等を介して接続されていてもよい。他は同様である。
【０３１５】
・第３１の通信システム構成例
第３１の通信システム構成例は、送受信部（ＴＲｘ）１１と、サーバ１６と、を備える。
【０３１６】
異なる波長（λＡ〜λＮ）のＴＲｘ１１が上位側の装置（不図示）に直接、又は複数のＯＬＴから／へのトラフィックを集約や分配や振分や複製や折返や透過の少なくとも一部をする集線ＳＷ等を介して接続されている。ＴＲｘ１１は自律、又はサーバ１６等の他の構成要素からの制御、又はサーバ１６等の他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０３１７】
サーバ１６は、ＴＲｘ１１又は外部のオペレーションシステム（不図示）やコントローラ（不図示）や外部の装置（不図示）と接続される。サーバ１６は、ＴＲｘ１１等の他の構成要素を制御、又はＴＲｘ１１の他の構成要素を介して制御を転送する。
【０３１８】
ＴＲｘ１１やサーバ１６は、ＴＲｘ１１やサーバ１６等の他の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１やサーバ１６等の他の構成要素または外部のオペレーションシステム（不図示）やコントローラ（不図示）や外部の装置（不図示）に送付してもよい。
【０３１９】
第３１の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴから／へのトラフィックを集約や分配や振分や複製や折返や透過の少なくとも一部をする集線ＳＷ等を介して接続されていてもよい。
第３１の通信システム構成例において、一部の波長のＴＲｘ１１が複数とそれ以外の波長のＴＲｘ１１が上位側の装置（不図示）に直接、又は複数のＯＬＴから／へのトラフィックを集約や分配や振分や複製や折返や透過の少なくとも一部をする集線ＳＷ等を介して接続されていてもよい。他は同様である。
【０３２０】
・第３２の通信システム構成例
第３２の通信システム構成例は、送受信部（ＴＲｘ）１１と、を備える。
異なる波長（λＡ〜λＮ）のＴＲｘ１１が上位側の装置（不図示）に直接、又は複数のＯＬＴから／へのトラフィックを集約や分配や振分や複製や折返や透過の少なくとも一部をする集線ＳＷ等を介して接続されている。ＴＲｘ１１は自律、又は他の構成要素からの制御、又は他の構成要素を介して転送された制御で制御され、ＯＤＮ又は上位側の装置（不図示）のトラフィックの一部またはその全てを、所定の手順に従って、ＶＬＡＮや優先や廃棄優先や宛先等の少なくとも一部又はその組み合わせのタグの追加又は削除又は付替又は変更無で、集約又は分配又は振分又は複製又は折返又は透過の少なくとも一つまたはその組み合わせで処理する。
【０３２１】
ＴＲｘ１１は、ＴＲｘ１１等の構成要素のトラフィックの一部またはその全て自体又はその複写を受けて、受けたトラフィックの一部又はその全て自体又は受けたトラフィックの一部又は全てを書換えたトラフィック又は受けたトラフィックに対する応答をＴＲｘ１１等の構成要素内部または外部のオペレーションシステム（不図示）やコントローラ（不図示）や外部の装置（不図示）に送付してもよい。
【０３２２】
第３２の通信システム構成例において、同一の波長のＴＲｘ１１（λＡ〜λＡ）、ＴＲｘ１１（λＢ〜λＢ）、・・・、ＴＲｘ１１（λＮ〜λＮ）が上位側の装置（不図示）に直接、又は複数のＯＬＴから／へのトラフィックを集約や分配や振分や複製や折返や透過の少なくとも一部をする集線ＳＷ等を介して接続されていてもよい。
第３２の通信システム構成例において、一部の波長のＴＲｘ１１が複数とそれ以外の波長のＴＲｘ１１が上位側の装置（不図示）に直接、又は複数のＯＬＴから／へのトラフィックを集約や分配や振分や複製や折返や透過の少なくとも一部をする集線ＳＷ等を介して接続されていてもよい。他は同様である。
【０３２３】
以下、実施部と指示部の配置例について説明する。
（第１の配置例）
実施部をＴＲｘ１１に備え、指示部をＴＲｘ１１のＣＰＵ等の演算処理可能な箇所に備える。
実施部と指示部の入出力は、内部配線やバックボードやＯＡＭや主信号線や専用の配線やオペレーションシステムやコントローラ（不図示）や制御部等の経路のいずれも可能である。ＯＮＵからの申告又は申告の複写を指示部で直接終端して入力する場合はＯＡＭや主信号にカプセル化してもよい。ＯＮＵからの申告又は申告の複写をいずれかの箇所で終端して内部配線やバックボードやＯＡＭや主信号線や専用の配線やオペレーションシステムやコントローラや制御部等の経路を経由して入力してもよい。ＯＡＭや主信号線を用いる場合は、ＯＡＭや主信号にカプセル化することが望ましい。主信号線を通す場合はＯＳＵ又は他箇所のＳＷにて指示部に振り分けることが望ましい。これは以降の配置例でも同様である。
第１〜第３２の通信システム構成例における演算処理可能な箇所を備えるＴＲｘを含む構成に適用可能である。
【０３２４】
（第２の配置例）
実施部をＴＲｘ１１に備え、指示部をＳＷ１２の演算処理可能な箇所に備える。他は同様である。
第１〜第３２の通信システム構成例における演算処理可能な箇所を備えるＳＷ１２を含む構成に適用可能である。なお、ＴＲｘ１１及びＳＷ１２の演算処理可能な箇所の両方に実施部及び指示部が備わっていてもよい。
【０３２５】
（第３の配置例）
実施部をＴＲｘ１１に備え、指示部をＯＳＵ２１のＣＰＵ等の演算処理可能な箇所に備える。他は同様である。
第１〜第３２の通信システム構成例における演算処理可能な箇所を備えるＯＳＵ２１を含む構成に適用可能である。なお、ＴＲｘ１１及びＯＳＵ２１の演算処理可能な箇所の両方に実施部及び指示部が備わっていてもよい。
【０３２６】
（第４の配置例）
実施部をＴＲｘ１１に備え、指示部をＳＷ１３の演算処理可能な箇所に備える。他は同様である。
第１〜第３２の通信システム構成例における演算処理可能な箇所を備えるＳＷ１３を含む構成に適用可能である。なお、ＴＲｘ１１及びＳＷ１３の演算処理可能な箇所の両方に実施部及び指示部が備わっていてもよい。
【０３２７】
（第５の配置例）
実施部をＴＲｘ１１に備え、指示部をＯＬＴの例えば制御部１４やＣＰＵ版２５等の演算処理可能な箇所に備える。他は同様である。
第１〜第３２の通信システム構成例における演算処理可能な箇所を備えるＯＬＴを含む構成に適用可能である。なお、ＴＲｘ１１及びＯＬＴの両方に実施部及び指示部が備わっていてもよい。
【０３２８】
（第６の配置例）
実施部をＴＲｘ１１に備え、指示部をＯＬＴ外部、例えばサーバ１６やオペレーションシステムやコントローラ等の演算処理可能な箇所に備える。他は同様である。
第１〜第３２の通信システム構成例におけるＯＬＴ外部に演算処理可能な箇所を含む構成に適用可能である。なお、ＴＲｘ１１及びＯＬＴ外部の演算処理可能な箇所の両方に実施部及び指示部が備わっていてもよい。
【０３２９】
（第７の配置例）
実施部をＴＲｘ１１に備え、指示部をＯＬＴ外部の主信号ネットワーク中、例えばプロキシ部１５等の演算処理可能な箇所に備える。他は同様である。
第１〜第３２の通信システム構成例における主信号ネットワーク中に演算処理可能な箇所を含む構成に適用可能である。なお、ＴＲｘ１１及び主信号ネットワーク中の演算処理可能な箇所の両方に実施部及び指示部が備わっていてもよい。
【０３３０】
（第８の配置例）
実施部をＳＷ１２に備え、指示部をＴＲｘ１１のＣＰＵ等の演算処理可能な箇所に備える。他は同様である。
第１〜第３２の通信システム構成例におけるＳＷ１２と演算処理可能な箇所を備えるＴＲｘを含む構成に適用可能である。なお、ＳＷ１２及びＴＲｘ１１の演算処理可能な箇所の両方に実施部及び指示部が備わっていてもよい。
【０３３１】
（第９の配置例）
実施部をＳＷ１２に備え、指示部をＳＷ１２の演算処理可能な箇所に備える。他は同様である。
第１〜第３２の通信システム構成例における演算処理可能な箇所を備えるＳＷ１２を含む構成に適用可能である。
【０３３２】
（第１０の配置例）
実施部をＳＷ１２に備え、指示部をＯＳＵ２１のＣＰＵ等の演算処理可能な箇所に備える。他は同様である。
第１〜第３２の通信システム構成例におけるＳＷ１２と演算処理可能な箇所を備えるＯＳＵ２１を含む構成に適用可能である。なお、ＳＷ１２及びＯＳＵ２１の演算処理可能な箇所の両方に実施部及び指示部が備わっていてもよい。
【０３３３】
（第１１の配置例）
実施部をＳＷ１２に備え、指示部をＳＷ１３の演算処理可能な箇所に備える。他は同様である。
第１〜第３２の通信システム構成例におけるＳＷ１２及び演算処理可能な箇所を備えるＳＷ１３を含む構成に適用可能である。なお、ＳＷ１２及びＳＷ１３の演算処理可能な箇所の両方に実施部及び指示部が備わっていてもよい。
【０３３４】
（第１２の配置例）
実施部をＳＷ１２に備え、指示部をＯＬＴの例えば制御部１４やＣＰＵ版２５等の演算処理可能な箇所に備える。他は同様である。
第１〜第３２の通信システム構成例におけるＳＷ１２と演算処理可能な箇所を備えるＯＬＴを含む構成に適用可能である。なお、ＳＷ１２及びＯＬＴの演算処理可能な箇所の両方に実施部及び指示部が備わっていてもよい。
【０３３５】
（第１３の配置例）
実施部をＳＷ１２に備え、指示部をＯＬＴ外部、例えばサーバ１６やオペレーションシステムやコントローラ等の演算処理可能な箇所に備える。他は同様である。
第１〜第３２の通信システム構成例におけるＳＷ１２とＯＬＴ外部に演算処理可能な箇所を含む構成に適用可能である。なお、ＳＷ１２及びＯＬＴ外部の演算処理可能な箇所の両方に実施部及び指示部が備わっていてもよい。
【０３３６】
（第１４の配置例）
実施部をＳＷ１２に備え、指示部をＯＬＴ外部の主信号ネットワーク中、例えばプロキシ部１５等の演算処理可能な箇所に備える。他は同様である。
第１〜第３２の通信システム構成例におけるＳＷ１２とＯＬＴ外部の主信号ネットワーク中に演算処理可能な箇所を含む構成に適用可能である。なお、ＳＷ１２及びＯＬＴ外部の主信号ネットワークの演算処理可能な箇所の両方に実施部及び指示部が備わっていてもよい。
【０３３７】
（第１５の配置例）
実施部をＯＳＵ２１に備え、指示部をＴＲｘ１１のＣＰＵ等の演算処理可能な箇所に備える。他は同様である。
第１〜第３２の通信システム構成例におけるＯＳＵ２１と演算処理可能な箇所を備えるＴＲｘ１１を含む構成に適用可能である。
【０３３８】
（第１６の配置例）
実施部をＯＳＵ２１に備え、指示部をＳＷ１２の演算処理可能な箇所に備える。他は同様である。
第１〜第３２の通信システム構成例におけるＯＳＵ２１と演算処理可能な箇所を備えるＳＷ１２を含む構成に適用可能である。
【０３３９】
（第１７の配置例）
実施部をＯＳＵ２１に備え、指示部をＯＳＵ２１のＣＰＵ等の演算処理可能な箇所に備える。他は同様である。
第１〜第３２の通信システム構成例における演算処理可能な箇所を備えるＯＳＵ２１を含む構成に適用可能である。
【０３４０】
（第１８の配置例）
実施部をＯＳＵ２１に備え、指示部をＳＷ１３の演算処理可能な箇所に備える。他は同様である。
第１〜第３２の通信システム構成例におけるＯＳＵ２１と演算処理可能な箇所を備えるＳＷ１３を含む構成に適用可能である。なお、ＯＳＵ２１とＳＷ１３の演算処理可能な箇所の両方に実施部及び指示部が備わっていてもよい。
【０３４１】
（第１９の配置例）
実施部をＯＳＵ２１に備え、指示部をＯＬＴの制御部１４やＣＰＵ版２５等の演算処理可能な箇所に備える。他は同様である。
第１〜第３２の通信システム構成例におけるＯＳＵ２１と演算処理可能な箇所を備えるＯＬＴを含む構成に適用可能である。なお、ＯＳＵ２１とＯＬＴの演算処理可能な箇所の両方に実施部及び指示部が備わっていてもよい。
【０３４２】
（第２０の配置例）
実施部をＯＳＵ２１に備え、指示部をＯＬＴ外部、例えばサーバ１６やオペレーションシステムやコントローラ等の演算処理可能な箇所に備える。他は同様である。
第１〜第３２の通信システム構成例におけるＯＬＴ外部に演算処理可能な箇所を含む構成に適用可能である。なお、ＯＳＵ２１とＯＬＴ外部の演算処理可能な箇所の両方に実施部及び指示部が備わっていてもよい。
【０３４３】
（第２１の配置例）
実施部をＯＳＵ２１に備え、指示部をＯＬＴ外部の主信号ネットワーク中、例えばプロキシ部１５等の演算処理可能な箇所に備える。他は同様である。
第１〜第３２の通信システム構成例におけるＯＳＵ２１とＯＬＴ外部の主信号ネットワーク中に演算処理可能な箇所を含む構成に適用可能である。なお、ＯＳＵ２１と主信号ネットワークの演算処理可能な箇所の両方に実施部及び指示部が備わっていてもよい。
【０３４４】
（第２２の配置例）
実施部をＳＷ１３に備え、指示部をＴＲｘ１１のＣＰＵ等の演算処理可能な箇所に備える。他は同様である。
第１〜第３２の通信システム構成例におけるＳＷ１３と演算処理可能な箇所を備えるＴＲｘ１１を含む構成に適用可能である。なお、ＳＷ１３とＴＲｘ１１の演算処理可能な箇所の両方に実施部及び指示部が備わっていてもよい。
【０３４５】
（第２３の配置例）
実施部をＳＷ１３に備え、指示部をＳＷ１２の演算処理可能な箇所に備える。他は同様である。
第１〜第３２の通信システム構成例におけるＳＷ１３と演算処理可能な箇所を備えるＳＷ１２を含む構成に適用可能である。なお、ＳＷ１３とＳＷ１２の演算処理可能な箇所の両方に実施部及び指示部が備わっていてもよい。
【０３４６】
（第２４の配置例）
実施部をＳＷ１３に備え、指示部をＯＳＵ２１のＣＰＵ等の演算処理可能な箇所に備える。他は同様である。
第１〜第３２の通信システム構成例におけるＳＷ１３と演算処理可能な箇所を備えるＯＳＵ２１を含む構成に適用可能である。なお、ＳＷ１３とＯＳＵ２１の演算処理可能な箇所の両方に実施部及び指示部が備わっていてもよい。
【０３４７】
（第２５の配置例）
実施部をＳＷ１３に備え、指示部をＳＷ１３の演算処理可能な箇所に備える。他は同様である。
第１〜第３２の通信システム構成例における演算処理可能な箇所を備えるＳＷ１３を含む構成に適用可能である。
【０３４８】
（第２６の配置例）
実施部をＳＷ１３に備え、指示部をＯＬＴの制御部１４やＣＰＵ版２５等の演算処理可能な箇所に備える。他は同様である。
第１〜第３２の通信システム構成例におけるＳＷ１３と演算処理可能な箇所を備えるＯＬＴを含む構成に適用可能である。なお、ＳＷ１３とＯＬＴの演算処理可能な箇所の両方に実施部及び指示部が備わっていてもよい。
【０３４９】
（第２７の配置例）
実施部をＳＷ１３に備え、指示部をＯＬＴ外部、例えばサーバ１６やオペレーションシステムやコントローラ等の演算処理可能な箇所に備える。他は同様である。
第１〜第３２の通信システム構成例におけるＳＷ１３とＯＬＴ外部に演算処理可能な箇所を含む構成に適用可能である。なお、ＳＷ１３とＯＬＴ外部の演算処理可能な箇所の両方に実施部及び指示部が備わっていてもよい。
【０３５０】
（第２８の配置例）
実施部をＯＬＴのＳＷ１３に備え、指示部をＯＬＴ外部の主信号ネットワーク、例えばプロキシ部１５等の演算処理可能な箇所に備える。他は同様である。
第１〜第３２の通信システム構成例におけるＳＷ１３とＯＬＴ外部の主信号ネットワーク中に演算処理可能な箇所を含む構成に適用可能である。なお、ＳＷ１３と主信号ネットワークの演算処理可能な箇所の両方に実施部及び指示部が備わっていてもよい。
【０３５１】
（第２９の配置例）
実施部をＯＬＴの例えば制御部１４やＣＰＵ版２５に備え、指示部をＴＲｘ１１のＣＰＵ等の演算処理可能な箇所に備える。他は同様である。
第１〜第３２の通信システム構成例におけるＯＬＴと演算処理可能な箇所を備えるＴＲｘ１１を含む構成に適用可能である。なお、ＯＬＴとＴＲｘ１１の演算処理可能な箇所の両方に実施部及び指示部が備わっていてもよい。
【０３５２】
（第３０の配置例）
実施部をＯＬＴの例えば制御部１４やＣＰＵ版２５に備え、指示部をＳＷ１２の演算処理可能な箇所に備える。他は同様である。
第１〜第３２の通信システム構成例におけるＯＬＴと演算処理可能な箇所を備えるＳＷ１２を含む構成に適用可能である。なお、ＯＬＴとＳＷ１２の演算処理可能な箇所の両方に実施部及び指示部が備わっていてもよい。
【０３５３】
（第３１の配置例）
実施部をＯＬＴの例えば制御部１４やＣＰＵ版２５に備え、指示部をＯＳＵ２１のＣＰＵ等の演算処理可能な箇所に備える。他は同様である。
第１〜第３２の通信システム構成例におけるＯＬＴと演算処理可能な箇所を備えるＯＳＵ２１を含む構成に適用可能である。なお、ＯＬＴとＯＳＵ２１の演算処理可能な箇所の両方に実施部及び指示部が備わっていてもよい。
【０３５４】
（第３２の配置例）
実施部をＯＬＴの例えば制御部１４やＣＰＵ版２５に備え、指示部をＳＷ１３の演算処理可能な箇所に備える。他は同様である。
第１〜第３２の通信システム構成例におけるＯＬＴと演算処理可能な箇所を備えるＳＷ１３を含む構成に適用可能である。なお、ＯＬＴとＳＷ１３の演算処理可能な箇所の両方に実施部及び指示部が備わっていてもよい。
【０３５５】
（第３３の配置例）
実施部をＯＬＴの例えば制御部１４やＣＰＵ版２５に備え、指示部をＯＬＴの制御部１４やＣＰＵ等の演算処理可能な箇所に備える。他は同様である。
第１〜第３２の通信システム構成例における演算処理可能な箇所を備えるＯＬＴを含む構成に適用可能である。
【０３５６】
（第３４の配置例）
実施部をＯＬＴの例えば制御部１４やＣＰＵ版２５に備え、指示部をＯＬＴ外部、例えばサーバ１６やオペレーションシステムやコントローラ等の演算処理可能な箇所に備える。他は同様である。
第１〜第３２の通信システム構成例におけるＯＬＴとＯＬＴ外部に演算処理可能な箇所を含む構成に適用可能である。なお、ＯＬＴとＯＬＴ外部の演算処理可能な箇所の両方に実施部及び指示部が備わっていてもよい。
【０３５７】
（第３５の配置例）
実施部をＯＬＴの例えば制御部１４やＣＰＵ版２５に備え、指示部をＯＬＴ外部の主信号ネットワーク中、例えばプロキシ部１５等の演算処理可能な箇所に備える。他は同様である。
第１〜第３２の通信システム構成例におけるＯＬＴとＯＬＴ外部の主信号ネットワーク中に演算処理可能な箇所を含む構成に適用可能である。なお、ＯＬＴとＯＬＴ外部の主信号ネットワーク中の演算可能な箇所の両方に実施部及び指示部が備わっていてもよい。
【０３５８】
（第３６の配置例）
実施部をＯＬＴ外部、例えばサーバ１６やオペレーションシステムやコントローラ等の演算処理可能な箇所に、指示部をＴＲｘ１１のＣＰＵ等の演算処理可能な箇所に備える。他は同様である。
第１〜第３２の通信システム構成例におけるＯＬＴ外部に演算処理可能な箇所とＯＬＴと演算処理可能な箇所を備えるＴＲｘ１１を含む構成に適用可能である。なお、ＯＬＴ外部の演算処理可能な箇所とＴＲｘ１１の演算処理可能な箇所の両方に実施部及び指示部が備わっていてもよい。
【０３５９】
（第３７の配置例）
実施部をＯＬＴ外部、例えばサーバ１６やオペレーションシステムやコントローラ等の演算処理可能な箇所に備え、指示部をＳＷ１２の演算処理可能な箇所に備える。他は同様である。
第１〜第３２の通信システム構成例におけるＯＬＴ外部に演算処理可能な箇所と演算処理可能な箇所を備えるＳＷ１２を含む構成に適用可能である。なお、ＯＬＴ外部に演算処理可能な箇所とＳＷ１２の演算処理可能な箇所の両方に実施部及び指示部が備わっていてもよい。
【０３６０】
（第３８の配置例）
実施部をＯＬＴ外部、例えばサーバ１６やオペレーションシステムやコントローラ等の演算処理可能な箇所に備え、指示部をＯＳＵ２１のＣＰＵ等の演算処理可能な箇所に備える。他は同様である。
第１〜第３２の通信システム構成例におけるＯＬＴ外部に演算処理可能な箇所と演算処理可能な箇所を備えるＯＳＵ２１を含む構成に適用可能である。なお、ＯＬＴ外部の演算処理可能な箇所とＯＳＵ２１の演算処理可能な箇所の両方に実施部及び指示部が備わっていてもよい。
【０３６１】
（第３９の配置例）
実施部をＯＬＴ外部、例えばサーバ１６やオペレーションシステムやコントローラ等の演算処理可能な箇所に備え、指示部をＳＷ１３の演算処理可能な箇所に備える。他は同様である。
第１〜第３２の通信システム構成例におけるＯＬＴ外部の演算処理可能な箇所と演算処理可能な箇所を備えるＳＷ１３を含む構成に適用可能である。なお、ＯＬＴ外部の演算処理可能な箇所とＳＷ１３の演算処理可能な箇所の両方に実施部及び指示部が備わっていてもよい。
【０３６２】
（第４０の配置例）
実施部をＯＬＴ外部、例えばサーバ１６やオペレーションシステムやコントローラ等の演算処理可能な箇所に備え、指示部をＯＬＴの制御部１４やＣＰＵ等の演算処理可能な箇所に備える。他は同様である。
第１〜第３２の通信システム構成例におけるＯＬＴ外部の演算処理可能な箇所と演算処理可能な箇所を備えるＯＬＴを含む構成に適用可能である。なお、ＯＬＴ外部の演算処理可能な箇所とＯＬＴの演算処理可能な箇所の両方に実施部及び指示部が備わっていてもよい。
【０３６３】
（第４１の配置例）
実施部をＯＬＴ外部、例えばサーバ１６やオペレーションシステムやコントローラ等の演算処理可能な箇所に備え、指示部をＯＬＴ外部、例えばサーバ１６やオペレーションシステムやコントローラ等の演算処理可能な箇所に備える。他は同様である。
第１〜第３２の通信システム構成例におけるＯＬＴ外部の演算処理可能な箇所を含む構成に適用可能である。
【０３６４】
（第４２の配置例）
実施部をＯＬＴ外部、例えばサーバ１６やオペレーションシステムやコントローラ等の演算処理可能な箇所に備え、指示部をＯＬＴ外部の主信号ネットワーク中、例えばプロキシ部１５等の演算処理可能な箇所に備える。他は同様である。
第１〜第３２の通信システム構成例におけるＯＬＴ外部の演算処理可能な箇所とＯＬＴ外部の主信号ネットワーク中に演算処理可能な箇所を含む構成に適用可能である。なお、ＯＬＴ外部の演算処理可能な箇所とＯＬＴ外部の主信号ネットワーク中の演算可能な箇所の両方に実施部及び指示部が備わっていてもよい。
【０３６５】
（第４３の配置例）
実施部をＯＬＴ外部の主信号ネットワーク中、例えばプロキシ部１５等の演算処理可能な箇所に備え、指示部をＴＲｘ１１のＣＰＵ等の演算処理可能な箇所に備える。他は同様である。
第１〜第３２の通信システム構成例におけるＯＬＴ外部の主信号ネットワーク中の演算処理可能な箇所と演算処理可能な箇所を備えるＴＲｘ１１を含む構成に適用可能である。なお、ＯＬＴ外部の主信号ネットワーク中の演算処理可能な箇所とＴＲｘ１１の演算処理可能な箇所の両方に実施部及び指示部が備わっていてもよい。
【０３６６】
（第４４の配置例）
実施部をＯＬＴ外部の主信号ネットワーク中、例えばプロキシ部１５等の演算処理可能な箇所に備え、指示部をＳＷ１２の演算処理可能な箇所に備える。他は同様である。
第１〜第３２の通信システム構成例におけるＯＬＴ外部の主信号ネットワーク中の演算処理可能な箇所と演算処理可能な箇所を備えるＳＷ１２を含む構成に適用可能である。なお、ＯＬＴ外部の主信号ネットワーク中の演算処理可能な箇所とＳＷ１２の演算処理可能な箇所の両方に実施部及び指示部が備わっていてもよい。
【０３６７】
（第４５の配置例）
実施部をＯＬＴ外部の主信号ネットワーク中、例えばプロキシ部１５等の演算処理可能な箇所に備え、指示部をＯＳＵ２１のＣＰＵ等の演算処理可能な箇所に備える。他は同様である。
第１〜第３２の通信システム構成例におけるＯＬＴ外部の主信号ネットワーク中の演算処理可能な箇所と演算処理可能な箇所を備えるＯＳＵ２１を含む構成に適用可能である。なお、ＯＬＴ外部の主信号ネットワーク中の演算処理可能な箇所とＯＳＵ２１の演算処理可能な箇所の両方に実施部及び指示部が備わっていてもよい。
【０３６８】
（第４６の配置例）
実施部をＯＬＴ外部の主信号ネットワーク中、例えばプロキシ部１５等の演算処理可能な箇所な箇所に備え、指示部をＳＷ１３の演算処理可能な箇所に備える。他は同様である。
第１〜第３２の通信システム構成例におけるＯＬＴ外部の主信号ネットワーク中の演算処理可能な箇所と演算処理可能な箇所を備えるＳＷ１３を含む構成に適用可能である。なお、ＯＬＴ外部の主信号ネットワーク中の演算処理可能な箇所とＳＷ１３の演算処理可能な箇所の両方に実施部及び指示部が備わっていてもよい。
【０３６９】
（第４７の配置例）
実施部をＯＬＴ外部の主信号ネットワーク中、例えばプロキシ部１５等の演算処理可能な箇所に備え、指示部をＯＬＴの制御部１４やＣＰＵ等の演算処理可能な箇所に備える。他は同様である。
第１〜第３２の通信システム構成例におけるＯＬＴ外部の主信号ネットワーク中の演算処理可能な箇所と演算処理可能な箇所を備えるＯＬＴを含む構成に適用可能である。
【０３７０】
（第４８の配置例）
実施部をＯＬＴ外部の主信号ネットワーク中、例えばプロキシ部１５等の演算処理可能な箇所に備え、指示部をＯＬＴ外部、例えばサーバ１６やオペレーションシステムやコントローラ等の演算処理可能な箇所に備える。他は同様である。
第１〜第３２の通信システム構成例におけるＯＬＴ外部の主信号ネットワーク中の演算処理可能な箇所とＯＬＴ外部に演算処理可能な箇所を含む構成に適用可能である。なお、ＯＬＴ外部の主信号ネットワーク中の演算処理可能な箇所とＯＬＴ外部の演算処理可能な箇所の両方に実施部及び指示部が備わっていてもよい。
【０３７１】
（第４９の配置例）
実施部をＯＬＴ外部の主信号ネットワーク中、例えばプロキシ部１５等の演算処理可能な箇所に備え、指示部をＯＬＴ外部の主信号ネットワーク中、例えばプロキシ部１５等の演算処理可能な箇所に備える。他は同様である。
第１〜第３２の通信システム構成例におけるＯＬＴ外部の主信号ネットワーク中の演算処理可能な箇所を含む構成に適用可能である。
【０３７２】
本実施形態において、指示部の設定、アルゴリズムを変更するためのインターフェースを備え、指示部のソフトウェアを変更できるとしてもよい。
【０３７３】
また、本実施形態において、指示部は装置の構成要素であり、演算処理の可能な一か所の構成要素上に支持部が配置される例を示したが、本実施形態はこれに限定されない。指示部は、演算処理の可能な複数の構成要素装置上、例えば複数のＣＰＵでの処理を用いて実現してもよい。
【産業上の利用可能性】
【０３７４】
本発明は情報通信産業に適用することができる。
【符号の説明】
【０３７５】
１１：ＴＲｘ
１２、１３、２２：ＳＷ
１４、２４：制御部
１５：プロキシ部
１６、２６：サーバ
２１：ＯＳＵ
２３：ＣＬＫ
２５：ＣＰＵ版
２７：変換部
【図１】
0006475648.tif 000002
【図２】
0006475648.tif 000003
【図３】
0006475648.tif 000004
【図４】
0006475648.tif 000005
【図５】
0006475648.tif 000006
【図６】
0006475648.tif 000007